(57)【要約】【課題】通信シートと効率的に電磁的に結合する通信装置を提供する。【解決手段】無線基板１０は、通信シートの内部を伝搬する電波を放射するアンテナ１１を備える。シート状絶縁体２０は、第１の面と第２の面とを有し、第１の面に無線基板１０が載置される。第１のシート状導体３０は、第１の面と第２の面とのうち少なくとも一方の面に重ねられた部分を有し、第１の面に直交する第１方向から見たときにアンテナ１１に近接し又は重なる部分を有する。【選択図】図１
2017208793.tif 000002
【特許請求の範囲】
【請求項１】
メッシュ状の開孔が形成された第１の導体層と、第２の導体層と、前記第１の導体層と前記第２の導体層との間に設けられた絶縁体層と、を備える通信シート上に配置された状態で使用される通信装置であって、
前記通信シートの内部を伝搬する電波を放射するアンテナを備える無線基板と、
第１の面と第２の面とを有し、前記第１の面に前記無線基板が載置されるシート状絶縁体と、
前記第１の面と前記第２の面とのうち少なくとも一方の面に重ねられた部分を有し、前記第１の面に直交する第１の方向から見たときに前記アンテナに近接し又は重なる部分を有する第１のシート状導体と、を備える、
通信装置。
【請求項２】
前記アンテナは、前記第１の方向と直交する第２の方向に伸びる線状配線を含む線状アンテナである、
請求項１に記載の通信装置。
【請求項３】
前記線状配線は、ミアンダ配線である、
請求項２に記載の通信装置。
【請求項４】
前記第１のシート状導体は、前記第２の方向に伸びる第１の直線部を有し、
前記第１の方向から見たときに、前記線状配線の中心線と前記第１の直線部の中心線とが近接又は重なる、
請求項２又は３に記載の通信装置。
【請求項５】
前記第１のシート状導体は、前記第２の方向に伸びる第２の直線部と前記第２の方向に伸びる第３の直線部とを更に有し、
前記第１の方向と前記第２の方向とに直交する第３の方向における前記第２の直線部の中心線から前記第３の直線部の中心線までの距離は、前記メッシュ状の開孔の周期よりも短い、
請求項４に記載の通信装置。
【請求項６】
前記第２の直線部は前記第１の直線部であり、
前記第２の直線部と前記第３の直線部とは、前記第１の面に重ねられる、
請求項５に記載の通信装置。
【請求項７】
前記第１の直線部は、前記第１の面に重ねられ、
前記第２の直線部と前記第３の直線部とは、前記第２の面に重ねられる、
請求項５に記載の通信装置。
【請求項８】
前記第１のシート状導体は、長手方向が前記第１の方向と前記第２の方向とに直交する第３の方向と一致する平板状であり、
前記第１の方向から見たときに前記第１のシート状導体の前記長手方向における端部が前記線状配線に近接し又は重なる、
請求項２又は３に記載の通信装置。
【請求項９】
前記第１の面又は前記第２の面に重ねられた第２のシート状導体を更に備え、
前記第１のシート状導体と前記第２のシート状導体とは、前記第１の方向から見たときに少なくとも一部が近接し又は重なる、
請求項８に記載の通信装置。
【請求項１０】
前記第１のシート状導体の長手方向における長さは、前記電波の前記絶縁体層内における波長の０．１倍から１倍までの間の長さである、
請求項１から９の何れか１項に記載の通信装置。
【請求項１１】
第１の通信装置と第２の通信装置と通信シートとを備える通信システムであって、
前記通信シートは、メッシュ状の開孔が形成された第１の導体層と、第２の導体層と、前記第１の導体層と前記第２の導体層との間に設けられた絶縁体層と、を備え
前記第１の通信装置は、
前記通信シートの内部を伝搬する電波を放射するアンテナを備える無線基板と、
第１の面と第２の面とを有し、前記第１の面に前記無線基板が載置されるシート状絶縁体と、
前記第１の面と前記第２の面とのうち少なくとも一方の面に重ねられた部分を有し、前記第１の面に直交する第１の方向から見たときに前記アンテナに近接し又は重なる部分を有する第１のシート状導体と、を備え、
前記第２の通信装置は、
前記通信シートが備えるメッシュ状の開孔から漏れ出た電波を受信するアンテナを備える無線通信部を備える、
通信システム。
【請求項１２】
複数の第１の通信装置と第２の通信装置と通信シートとを備える通信システムであって、
前記通信シートは、メッシュ状の開孔が形成された第１の導体層と、第２の導体層と、前記第１の導体層と前記第２の導体層との間に設けられた絶縁体層と、を備え
前記複数の第１の通信装置のそれぞれは、
前記通信シートの内部を伝搬する電波を放射するアンテナを備える無線基板と、
第１の面と第２の面とを有し、前記第１の面に前記無線基板が載置されるシート状絶縁体と、
前記第１の面と前記第２の面とのうち少なくとも一方の面に重ねられた部分を有し、前記第１の面に直交する第１の方向から見たときに前記アンテナに近接し又は重なる部分を有する第１のシート状導体と、を備え、
前記第２の通信装置は、
前記通信シートが備えるメッシュ状の開孔から漏れ出た電波を受信するアンテナを備える無線通信部を備え、
前記複数の第１の通信装置のそれぞれは、前記通信シート上に配置された状態において、識別情報を送信し、
前記第２の通信装置は、前記通信シート上に配置された状態において、前記複数の第１の通信装置のそれぞれから送信された識別情報を受信し、
前記第２の通信装置は、前記受信された識別情報と予め定められた照合情報とを照合し、
前記第２の通信装置は、前記複数の第１の通信装置のそれぞれから受信された識別情報のいずれもが前記照合情報と適合する場合、予め定められた処理を実行する、
通信システム。
【請求項１３】
請求項１から１０の何れか１項に記載の複数の通信装置と、前記通信シートと、端末装置と、支持部材と、を備える通信システムであって、
前記支持部材は、前記複数の通信装置のうちいずれか１つが選択通信装置として前記通信シートと近接する位置に配置されるように、前記複数の通信装置を支持し、
前記複数の通信装置のそれぞれは、自通信装置に対応付けられたガイダンス情報を特定するためのガイダンス特定情報を含むビーコン信号を発信し、
前記通信シートは、前記選択通信装置が発信したビーコン信号を伝搬し、
前記端末装置は、前記通信シートと近接して前記ビーコン信号を受信した場合、前記選択通信装置に対応付けられた展示物のガイダンス情報に基づく画像又は音声を出力する、
通信システム。
【請求項１４】
請求項１から１０の何れか１項に記載の複数の通信装置と、前記通信シートと、端末装置と、支持部材と、を備える通信システムであって、
前記支持部材は、前記複数の通信装置のうち１つ以上が選択通信装置として前記通信シートと近接する位置に配置されるように、前記複数の通信装置を支持し、
前記複数の通信装置のそれぞれは、自通信装置に対応付けられたガイダンス情報を特定するためのガイダンス特定情報を含むビーコン信号を発信し、
前記通信シートは、前記１つ以上の選択通信装置が発信したビーコン信号を伝搬し、
前記端末装置は、前記通信シートと近接して前記ビーコン信号を受信した場合、前記１つ以上の選択通信装置に対応付けられたガイダンス情報に基づく画像又は音声を出力する、
通信システム。
【請求項１５】
請求項１から１０の何れか１項に記載の複数の通信装置と、前記通信シートと、端末装置と、サーバと、処理装置と、を備える通信システムであって、
前記複数の通信装置のそれぞれは、自通信装置の識別情報を含むビーコン信号を発信し、
前記複数の通信装置のうち１つが選択通信装置として前記通信シートと近接する位置に配置され、
前記端末装置は、前記通信シートと近接して前記ビーコン信号を受信した場合、前記選択通信装置の識別情報と前記端末装置の識別情報とを前記サーバに送信し、
前記サーバは、前記端末装置から前記選択通信装置の識別情報と前記端末装置の識別情報とを受信した場合、前記選択通信装置の識別情報に対応付けられた期間内において、前記端末装置の識別情報に対応付けられた情報を前記処理装置に送信する、
通信システム。
【請求項１６】
請求項１から１０の何れか１項に記載の通信装置と、前記通信シートと、サーバと、処理装置と、を備える通信システムであって、
前記通信シートは、車に配置され、
前記処理装置は、前記車に配置され、前記通信シートと近接する位置に配置され、
前記通信装置は、前記車が駐車する駐車場に配置され、
前記通信装置は、前記駐車場の位置を示す位置情報を含むビーコン信号を発信し、
前記処理装置は、前記通信装置が前記通信シートと近接し、前記ビーコン信号を受信した場合、前記車の識別情報と前記位置情報とを前記サーバに送信する、
通信システム。
【請求項１７】
請求項１から１０の何れか１項に記載の通信装置である、第１の通信装置及び第２の通信装置と、前記通信シートと、端末装置と、処理装置と、を備える通信システムであって、
前記第１の通信装置は、前記通信シートと近接する位置に配置され、
前記第１の通信装置は、前記第１の通信装置の識別情報を含む第１のビーコン信号を発信し、
前記第２の通信装置は、前記端末装置の識別情報を含む第２のビーコン信号を発信し、
前記端末装置は、前記第２の通信装置が前記通信シートと近接し、前記第１のビーコン信号と前記第２のビーコン信号とを受信した場合、前記端末装置の識別情報を含む制御信号を前記処理装置に送信し、
前記処理装置は、前記端末装置から前記制御信号を受信した場合、前記端末装置の識別情報に基づく処理を実行する、
通信システム。
【請求項１８】
請求項１から１０の何れか１項に記載の通信装置と、前記通信シートと、第１の端末装置と、第２の端末装置と、を備える通信システムであって、
前記第１の端末装置は、前記通信シートと近接する位置に配置され、
前記通信装置は、前記通信装置の識別情報を含むビーコン信号を発信し、
前記第１の端末装置は、前記通信装置が前記通信シートと近接し、前記ビーコン信号を受信した場合、前記通信装置の識別情報を前記第２の端末装置に送信する、
通信システム。
【発明の詳細な説明】
【技術分野】
【０００１】
本発明は、通信装置、及び、通信システムに関する。
【背景技術】
【０００２】
現在、３次元空間への電波の放射を抑制し、２次元のシート面上に電波を局在化する２次元通信が知られている。このような２次元通信では、例えば、メッシュ状の開孔が形成された導電層と、絶縁体層と、導体層とが順に積層されて構成された通信シートが用いられる。２次元通信では、通信シートの内部を伝搬する電波は、メッシュ状の開孔から浸出して、通信シートの表面に近接場を生成させる。
【０００３】
このような２次元通信では、例えば、電波を受信する通信装置は、通信シート上に配置される。一方、電波を送信する通信装置は、例えば、ケーブルとコネクタとにより通信シートに接続される。例えば、特許文献１には、通信シートに専用コネクタを設け、電波を送信する通信装置と専用コネクタとを同軸ケーブルにより接続する技術が開示されている。
【先行技術文献】
【特許文献】
【０００４】
【特許文献１】特開２００７−８２１７８号公報
【発明の概要】
【発明が解決しようとする課題】
【０００５】
しかしながら、特許文献１に開示された技術では、電波を送信する通信装置を通信シートに接続するための手間がかかり、使い勝手がよくなかった。ここで、使い勝手を考慮すると、電波を送信する通信装置と電波を受信する通信装置とを通信シート上に配置するだけで２次元通信が可能となるように、電波を送信する通信装置と通信シートとを電磁的に結合する方法が望ましい。しかしながら、現在、電波を送信する通信装置と通信シートとを効率的に電磁的に結合する技術は知られていない。
【０００６】
本発明は、上記問題に鑑みてなされたものであり、通信シートと効率的に電磁的に結合する通信装置等を提供することを目的とする。
【課題を解決するための手段】
【０００７】
上記目的を達成するために、本発明の第１の観点に係る通信装置は、
メッシュ状の開孔が形成された第１の導体層と、第２の導体層と、前記第１の導体層と前記第２の導体層との間に設けられた絶縁体層と、を備える通信シート上に配置された状態で使用される通信装置であって、
前記通信シートの内部を伝搬する電波を放射するアンテナを備える無線基板と、
第１の面と第２の面とを有し、前記第１の面に前記無線基板が載置されるシート状絶縁体と、
前記第１の面と前記第２の面とのうち少なくとも一方の面に重ねられた部分を有し、前記第１の面に直交する第１の方向から見たときに前記アンテナに近接し又は重なる部分を有する第１のシート状導体と、を備える。
【０００８】
前記アンテナは、前記第１の方向と直交する第２の方向に伸びる線状配線を含む線状アンテナであってもよい。
【０００９】
前記線状配線は、ミアンダ配線であってもよい。
【００１０】
前記第１のシート状導体は、前記第２の方向に伸びる第１の直線部を有し、
前記第１の方向から見たときに、前記線状配線の中心線と前記第１の直線部の中心線とが近接又は重なってもよい。
【００１１】
前記第１のシート状導体は、前記第２の方向に伸びる第２の直線部と前記第２の方向に伸びる第３の直線部とを更に有し、
前記第１の方向と前記第２の方向とに直交する第３の方向における前記第２の直線部の中心線から前記第３の直線部の中心線までの距離は、前記メッシュ状の開孔の周期よりも短くてもよい。
【００１２】
前記第２の直線部は前記第１の直線部を含み、
前記第２の直線部と前記第３の直線部とは、前記第１の面に重ねられてもよい。
【００１３】
前記第１の直線部は、前記第１の面に重ねられ、
前記第２の直線部と前記第３の直線部とは、前記第２の面に重ねられてもよい。
【００１４】
前記第１のシート状導体は、長手方向が前記第１の方向と前記第２の方向とに直交する第３の方向と一致する平板状であり、
前記第１の方向から見たときに前記第１のシート状導体の前記長手方向における端部が前記線状配線に近接し又は重なってもよい。
【００１５】
前記第１の面又は前記第２の面に重ねられた第２のシート状導体を更に備え、
前記第１のシート状導体と前記第２のシート状導体とは、前記第１の方向から見たときに少なくとも一部が近接し又は重なってもよい。
【００１６】
前記第１のシート状導体の長手方向における長さは、前記電波の前記絶縁体層内における波長の０．１倍から１倍までの間の長さであってもよい。
【００１７】
上記目的を達成するために、本発明の第２の観点に係る通信システムは、
第１の通信装置と第２の通信装置と通信シートとを備える通信システムであって、
前記通信シートは、メッシュ状の開孔が形成された第１の導体層と、第２の導体層と、前記第１の導体層と前記第２の導体層との間に設けられた絶縁体層と、を備え
前記第１の通信装置は、
前記通信シートの内部を伝搬する電波を放射するアンテナを備える無線基板と、
第１の面と第２の面とを有し、前記第１の面に前記無線基板が載置されるシート状絶縁体と、
前記第１の面と前記第２の面とのうち少なくとも一方の面に重ねられた部分を有し、前記第１の面に直交する第１の方向から見たときに前記アンテナに近接し又は重なる部分を有する第１のシート状導体と、を備え、
前記第２の通信装置は、
前記通信シートが備えるメッシュ状の開孔から漏れ出た電波を受信するアンテナを備える無線通信部を備える。
【００１８】
上記目的を達成するために、本発明の第３の観点に係る通信システムは、
複数の第１の通信装置と第２の通信装置と通信シートとを備える通信システムであって、
前記通信シートは、メッシュ状の開孔が形成された第１の導体層と、第２の導体層と、前記第１の導体層と前記第２の導体層との間に設けられた絶縁体層と、を備え
前記複数の第１の通信装置のそれぞれは、
前記通信シートの内部を伝搬する電波を放射するアンテナを備える無線基板と、
第１の面と第２の面とを有し、前記第１の面に前記無線基板が載置されるシート状絶縁体と、
前記第１の面と前記第２の面とのうち少なくとも一方の面に重ねられた部分を有し、前記第１の面に直交する第１の方向から見たときに前記アンテナに近接し又は重なる部分を有する第１のシート状導体と、を備え、
前記第２の通信装置は、
前記通信シートが備えるメッシュ状の開孔から漏れ出た電波を受信するアンテナを備える無線通信部を備え、
前記複数の第１の通信装置のそれぞれは、前記通信シート上に配置された状態において、識別情報を送信し、
前記第２の通信装置は、前記通信シート上に配置された状態において、前記複数の第１の通信装置のそれぞれから送信された識別情報を受信し、
前記第２の通信装置は、前記受信された識別情報と予め定められた照合情報とを照合し、
前記第２の通信装置は、前記複数の第１の通信装置のそれぞれから受信された識別情報のいずれもが前記照合情報と適合する場合、予め定められた処理を実行する。
【００１９】
上記目的を達成するために、本発明の第４の観点に係る通信システムは、
複数の前記通信装置と、前記通信シートと、端末装置と、支持部材と、を備える通信システムであって、
前記支持部材は、前記複数の通信装置のうちいずれか１つが選択通信装置として前記通信シートと近接する位置に配置されるように、前記複数の通信装置を支持し、
前記複数の通信装置のそれぞれは、自通信装置に対応付けられたガイダンス情報を特定するためのガイダンス特定情報を含むビーコン信号を発信し、
前記通信シートは、前記選択通信装置が発信したビーコン信号を伝搬し、
前記端末装置は、前記通信シートと近接して前記ビーコン信号を受信した場合、前記選択通信装置に対応付けられた展示物のガイダンス情報に基づく画像又は音声を出力する。
【００２０】
上記目的を達成するために、本発明の第５の観点に係る通信システムは、
複数の前記通信装置と、前記通信シートと、端末装置と、支持部材と、を備える通信システムであって、
前記支持部材は、前記複数の通信装置のうち１つ以上が選択通信装置として前記通信シートと近接する位置に配置されるように、前記複数の通信装置を支持し、
前記複数の通信装置のそれぞれは、自通信装置に対応付けられたガイダンス情報を特定するためのガイダンス特定情報を含むビーコン信号を発信し、
前記通信シートは、前記１つ以上の選択通信装置が発信したビーコン信号を伝搬し、
前記端末装置は、前記通信シートと近接して前記ビーコン信号を受信した場合、前記１つ以上の選択通信装置に対応付けられたガイダンス情報に基づく画像又は音声を出力する。
【００２１】
上記目的を達成するために、本発明の第６の観点に係る通信システムは、
複数の前記通信装置と、前記通信シートと、端末装置と、サーバと、処理装置と、を備える通信システムであって、
前記複数の通信装置のそれぞれは、自通信装置の識別情報を含むビーコン信号を発信し、
前記複数の通信装置のうち１つが選択通信装置として前記通信シートと近接する位置に配置され、
前記端末装置は、前記通信シートと近接して前記ビーコン信号を受信した場合、前記選択通信装置の識別情報と前記端末装置の識別情報とを前記サーバに送信し、
前記サーバは、前記端末装置から前記選択通信装置の識別情報と前記端末装置の識別情報とを受信した場合、前記選択通信装置の識別情報に対応付けられた期間内において、前記端末装置の識別情報に対応付けられた情報を前記処理装置に送信する。
【００２２】
上記目的を達成するために、本発明の第７の観点に係る通信システムは、
前記通信装置と、前記通信シートと、サーバと、処理装置と、を備える通信システムであって、
前記通信シートは、車に配置され、
前記処理装置は、前記車に配置され、前記通信シートと近接する位置に配置され、
前記通信装置は、前記車が駐車する駐車場に配置され、
前記通信装置は、前記駐車場の位置を示す位置情報を含むビーコン信号を発信し、
前記処理装置は、前記通信装置が前記通信シートと近接し、前記ビーコン信号を受信した場合、前記車の識別情報と前記位置情報とを前記サーバに送信する。
【００２３】
上記目的を達成するために、本発明の第８の観点に係る通信システムは、
前記通信装置である、第１の通信装置及び第２の通信装置と、前記通信シートと、端末装置と、処理装置と、を備える通信システムであって、
前記第１の通信装置は、前記通信シートと近接する位置に配置され、
前記第１の通信装置は、前記第１の通信装置の識別情報を含む第１のビーコン信号を発信し、
前記第２の通信装置は、前記端末装置の識別情報を含む第２のビーコン信号を発信し、
前記端末装置は、前記第２の通信装置が前記通信シートと近接し、前記第１のビーコン信号と前記第２のビーコン信号とを受信した場合、前記端末装置の識別情報を含む制御信号を前記処理装置に送信し、
前記処理装置は、前記端末装置から前記制御信号を受信した場合、前記端末装置の識別情報に基づく処理を実行する。
【００２４】
上記目的を達成するために、本発明の第９の観点に係る通信システムは、
前記通信装置と、前記通信シートと、第１の端末装置と、第２の端末装置と、を備える通信システムであって、
前記第１の端末装置は、前記通信シートと近接する位置に配置され、
前記通信装置は、前記通信装置の識別情報を含むビーコン信号を発信し、
前記第１の端末装置は、前記通信装置が前記通信シートと近接し、前記ビーコン信号を受信した場合、前記通信装置の識別情報を前記第２の端末装置に送信する。
【発明の効果】
【００２５】
本発明によれば、通信シートと効率的に電磁的に結合する通信装置等を提供することができる。
【図面の簡単な説明】
【００２６】
【図１】本発明の実施形態１に係る通信装置の斜視図である。
【図２】本発明の実施形態１に係る無線基板の底面図である。
【図３】本発明の実施形態１に係る第１のシート状導体の平面図である。
【図４】本発明の実施形態１に係る通信装置の平面図である。
【図５】本発明の実施形態１に係る通信装置の断面図であり、（Ａ）は、Ａ−Ａ線の断面図であり、（Ｂ）は、Ｂ−Ｂ線の断面図である。
【図６】本発明の実施形態１に係る通信シートを示す図であり、（Ａ）は、通信シートの平面図であり、（Ｂ）は、Ｃ−Ｃ線の断面図である。
【図７】通信シートに通信装置を配置したときの平面図である。
【図８】第１の条件時における電界強度の分布を示す図である。
【図９】第２の条件時における電界強度の分布を示す図である。
【図１０】条件と電界強度と利得との関係を示す図である。
【図１１】通信シートに複数の第１の通信装置と１つの第２の通信装置とを配置した様子を示す図である。
【図１２】本発明の実施形態１に係る第１の通信装置の機能構成図である。
【図１３】本発明の実施形態１に係る第２の通信装置の機能構成図である。
【図１４】本発明の実施形態１に係る第２の通信装置が実行する表示制御処理を示すフローチャートである。
【図１５】通信シートに１つの第１の通信装置と複数の第２の通信装置とを配置した様子を示す図である。
【図１６】本発明の実施形態２に係る通信装置の斜視図である。
【図１７】本発明の実施形態２に係る第１のシート状導体の斜視図である。
【図１８】本発明の実施形態３に係る通信装置の斜視図である。
【図１９】本発明の実施形態４に係る通信装置の斜視図である。
【図２０】本発明の実施形態５に係る無線基板の底面図である。
【図２１】本発明の実施形態６に係る通信装置の平面図である。
【図２２】本発明の実施形態６に係る通信装置の底面図である。
【図２３】本発明の実施形態６に係る通信装置の断面図であり、（Ａ）は、Ｅ−Ｅ線の断面図であり、（Ｂ）は、Ｆ−Ｆ線の断面図である。
【図２４】第３の条件時における電界強度の分布を示す図である。
【図２５】第４の条件時における電界強度の分布を示す図である。
【図２６】本発明の実施形態７に係る第１のシート状導体の平面図である。
【図２７】本発明の実施形態８に係る第１のシート状導体の平面図である。
【図２８】通信装置及び通信シートの第１の使用例を説明するための図である。
【図２９Ａ】通信装置及び通信シートの第２の使用例を説明するための図である。
【図２９Ｂ】通信装置及び通信シートの第２の使用例の変形例を説明するための図である。
【図３０Ａ】通信装置及び通信シートの第４の使用例を説明するための図である。
【図３０Ｂ】通信装置及び通信シートの第４の使用例の変形例を説明するための図である。
【図３１】通信装置及び通信シートの第５の使用例を説明するための図である。
【図３２】通信装置及び通信シートの第１１の使用例を説明するための図である。
【図３３Ａ】通信装置及び通信シートの第１２の使用例を説明するための図である。
【図３３Ｂ】通信装置及び通信シートの第１２の使用例の変形例を説明するための図である。
【発明を実施するための形態】
【００２７】
以下、本発明の実施形態について、図面を参照して説明する。なお、図中において、同一又は対応する部分には、同一の符号を付す。
【００２８】
（実施形態１）
図１は、本発明の実施形態１に係る通信装置１００の斜視図である。通信装置１００は、後述する通信シート２００を用いて、後述する通信装置３００と通信する装置である。本実施形態では、通信装置１００が通信シート２００を介して通信装置３００に情報を送信する例について説明する。本実施形態では、通信装置３００は、通信シート２００上に配置された状態で、通信装置１００から送信された情報を受信する装置であるものとする。通信装置３００は、例えば、スマートフォンである。
【００２９】
通信装置１００は、通信装置３００に送信する情報を示す電波を発信する装置である。通信装置１００は、例えば、Ｂｌｕｅｔｏｏｔｈ（登録商標）Ｌｏｗ  Ｅｎｅｒｇｙ（ＢＬＥ）に準拠した２．４５ＧＨｚ帯の電波を発信するビーコンである。通信装置１００は、無線基板１０と、シート状絶縁体２０と、第１のシート状導体３０と、を備える。
【００３０】
本実施形態では、互いに直交するＸ軸とＹ軸とＺ軸とを用いて、方向を表す。図１において、Ｘ軸は右下方向であり、Ｙ軸は右上方向であり、Ｚ軸は上方向である。図１に示すように、通信装置１００は、無線基板１０、第１のシート状導体３０、シート状絶縁体２０が、Ｚ軸の正方向から順に重ねられて構成される。本実施形態において、シート状の部材における厚さは、シート状の部材が有する２つの面に直交する方向における長さである。本実施形態では、シート状の部材が有する２つの面は、Ｘ−Ｙ平面方向に広がる面である。従って、本実施形態では、シート状の部材における厚さは、Ｚ軸方向における長さである。
【００３１】
本実施形態において、シート状とは、長手方向（例えば、Ｘ軸方向）及び幅方向（例えば、Ｙ軸方向）における長さが、厚さ方向（例えば、Ｚ軸方向）における長さよりも十分に長い形状を意味する。また、シート状であって、長手方向における長さが幅方向における長さよりも十分に長い形状を、線状という。なお、線状は、長手方向に一直線状に伸びる形状の他、幅方向に多少の曲がりながら長手方向に伸びる形状を含む。つまり、本実施形態では、細長く薄い形状を線状という。一方、シート状であって、長手方向における長さが幅方向における長さよりも十分に長くない形状を、平板状という。また、表面は、Ｘ−Ｙ平面に広がる２つの面のうち、Ｚ軸方向における座標が大きい方の面を意味する。そして、裏面は、Ｘ−Ｙ平面に広がる２つの面のうち、Ｚ軸方向における座標が小さい方の面を意味する。
【００３２】
図２は、無線基板１０の底面図である。無線基板１０は、上述した電波を発信する機能を有するＢＬＥモジュール基板である。無線基板１０は、発信器（図示せず）と、制御回路（図示せず）と、シールドケース（図示せず）と、アンテナ１１と、を備える。発信器は、２．４５ＧＨｚ帯の電波を発信する。制御回路は、無線基板１０全体の動作を制御する。シールドケースは、制御回路を外部空間から遮蔽し、外部空間から制御回路にノイズが放射されることや制御回路から外部空間にノイズが放射されることを抑制する。
【００３３】
アンテナ１１は、発信器から発信された電波を放射する。アンテナ１１は、線状配線を有する線状アンテナである。本実施形態では、アンテナ１１は、ミアンダ配線１２を有する線状アンテナであるものとする。図２に示すように、ミアンダ配線１２は、中心線１２Ａを中心にして蛇行しながらＸ軸の正負の方向に伸びる配線である。ミアンダ配線１２のＸ軸方向における長さであるＤｘ１２は、例えば、１５ｍｍ程度である。なお、ミアンダ配線１２内を流れる電流は、部分的には、Ｙ軸方向の正負の方向に流れる。しかしながら、Ｙ軸方向の正負の方向に流れる電流は、互いに打ち消し合うことになる。このため、ミアンダ配線１２内を流れる電流は、大局的には、Ｘ軸の正負の方向に流れることなる。
【００３４】
シート状絶縁体２０は、無線基板１０が載置され、無線基板１０を支持するシート状の絶縁体である。つまり、シート状絶縁体２０は、無線基板１０を通信シート２００上に安定して配置するための台である。本実施形態では、シート状絶縁体２０が有する表面に第１のシート状導体３０が貼付されるものとする。また、シート状絶縁体２０が有する表面には、無線基板１０が載置される。シート状絶縁体２０は、無線基板１０を支持する必要があるため、ある程度厚いことが望ましい。シート状絶縁体２０の厚さ方向における長さは、例えば、１ｍｍ程度である。シート状絶縁体２０は、例えば、合成樹脂などの絶縁体により構成される。シート状絶縁体２０の表面は第１の面に相当し、シート状絶縁体２０の裏面は第２の面に相当する。
【００３５】
第１のシート状導体３０は、電磁結合により効率的に、無線基板１０が備えるアンテナ１１から放射された電波を通信シート２００が有する第１の導体層２０１に伝搬する導体である。つまり、アンテナ１１と第１のシート状導体３０とは電磁的に結合し、また、第１のシート状導体３０と第１の導体層２０１とは電磁的に結合する。第１のシート状導体３０は、基本的に、誘導結合によりアンテナ１１と結合し、誘導結合により導体層２０１と結合する。第１のシート状導体３０は、シート状に形成された導体であり、金、銀、銅、アルミ、鉄、各種の合金などの金属により構成される。
【００３６】
第１のシート状導体３０は、導電性を有するものであれば、どのような形態であってもよい。例えば、第１のシート状導体３０は、金属粉を含む導電性インクや、金属粉を含み少なくとも一方の面に粘着性を有する粘着テープであってもよい。あるいは、第１のシート状導体３０は、メッキや蒸着によりシート状絶縁体２０の表面に形成された金属であってもよい。本実施形態では、第１のシート状導体３０は、アルミにより構成されるものとする。第１のシート状導体３０は、アンテナ１１や第１の導体層２０１と電磁的に強く結合することが可能であれば、軽量化や小型化の観点からなるべく薄い方が好ましい。
【００３７】
本実施形態では、無線基板１０が有する２つの面の形状、シート状絶縁体２０が有する２つの面の形状は、いずれも正方形に近い長方形である。つまり、無線基板１０及びシート状絶縁体２０は、いずれも平板状である。一方、第１のシート状導体３０が有する２つの面の形状は、図３に示すように、細長く伸びる形状であるものとする。つまり、第１のシート状導体３０は、シート状且つ線状の導体である。言い換えれば、第１のシート状導体３０は、幅方向（Ｙ軸方向）における長さが、長手方向（Ｘ軸方向）における長さよりも十分に短く、且つ、厚さ方向（Ｚ軸方向）における長さよりも十分に長い。
【００３８】
図３に示すように、第１のシート状導体３０は、直線部３０Ａと、直線部３０Ｂと、連結部３０Ｃとを有する。直線部３０Ａは、第１の直線部であり、第２の直線部でもある。直線部３０Ｂは、第３の直線部である。第１のシート状導体３０の厚さ方向における長さは、例えば、１０μｍである。また、第１のシート状導体３０の幅方向における長さであるＤｙ３１は、例えば、２ｍｍである。直線部３０Ａの長手方向における長さであるＤｘ３１は、例えば、１４ｍｍである。直線部３０Ｂの長手方向における長さであるＤｘ３２は、例えば、１４ｍｍである。連結部３０Ｃの長手方向における長さであるＤｘ３３は、例えば、８ｍｍである。従って、第１のシート状導体３０の長手方向における長さであるＤｘ３０は、例えば、３６ｍｍである。また、直線部３０Ａから直線部３０Ｂまでの幅方向における長さであるＤｙ３２は、例えば、２ｍｍである。そして、中心線３０Ｄから中心線３０Ｅまでの幅方向における間隔であるＤｙ３３は、例えば、４ｍｍである。中心線３０Ｄは、直線部３０Ａの幅方向における中心線である。中心線３０Ｅは、直線部３０Ｂの幅方向における中心線である。中心線３０Ｄと中心線３０Ｅとは、互いに平行であり、いずれも第１のシート状導体３０の長手方向に伸びる。なお、本明細書において、「平行」とは、数学的に完全に平行であることのみならず、概ね平行であることも包含する概念である。「直線」、「長方形」等も同様に、数学的に完全なものである必要はない。例えば、多少曲がっていても概ね特定の方向に伸びていれば「直線」といい、角に多少の丸みを帯びていたり、対向する辺の長さが僅かに異なっていても「長方形」ということがある。  
【００３９】
ここで、第１のシート状導体３０の長手方向における長さであるＤｘ３０は、無線基板１０が発信する電波の絶縁体層２０３内における波長の０．１倍から１倍程度の範囲の長さであることが好ましく、電波の絶縁体層２０３内における波長の０．５倍程度であることがより好ましい。Ｄｘ３０がこの程度の長さであれば、アンテナ１１と第１のシート状導体３０との間の電磁的な結合が強くなり、また、第１のシート状導体３０と第１の導体層２０１との間の電磁的な結合が強くなる。
【００４０】
なお、通信に用いられる電波の周波数が２．４５ＧＨｚの場合、この電波の真空中における波長は１２．５ｃｍ程度となる。ここで、通信シート２００の比誘電率を１．５程度とすると、絶縁体層２０３内における波長は、８ｃｍ程度となる。このため、Ｄｘ３０は、８ｃｍの０．５倍の４ｃｍ程度であることが好適である。なお、通信シート２００の比誘電率は、主に絶縁体層２０３の比誘電率に依存するが、第１の導体層２０１のメッシュ形状や厚みなどにも依存する。なお、電磁結合の際、電波の波長は、シート状絶縁体２０の比誘電率が高い程短くなる。従って、第１のシート状導体３０の長手方向における長さであるＤｘ３０は、通信シート２００を構成する部材の比誘電率や形状、シート状絶縁体２０の比誘電率、シート状絶縁体２０と絶縁体層２０３との間の距離などに依存する。なお、電波の通信シート２００内における波長は、シミュレーションにより決定可能である。
【００４１】
図４に、通信装置１００の平面図を示す。図４に示すように、通信装置１００は、無線基板１０、第１のシート状導体３０、シート状絶縁体２０が、Ｚ軸の正方向から順に重ねられて構成される。ここで、ミアンダ配線１２の中心線である中心線１２Ａと、直線部３０Ａの幅方向における中心線である中心線３０Ｄとが、互いに平行であり、且つ、Ｚ軸方向から見てほぼ重なるように配置される。かかる構成によれば、アンテナ１１が有するミアンダ配線１２とシート状導体３０が有する直線部３０Ａとが電磁的に強く結合する。
【００４２】
また、直線部３０Ａの幅方向における中心線である中心線３０Ｄと、直線部３０Ｂの幅方向における中心線である中心線３０Ｅとは、幅方向において重ならず、幅方向においてＤｙ３３だけシフトされている。かかる構成によれば、直線部３０Ａと直線部３０Ｂとのうちの少なくとも一方は、第１の導体層２０１との間で電磁的に強く結合する。なお、第１の導体層２０１を構成するいずれかの線状導体２０１Ａと、第１のシート状導体３０とが、Ｚ軸方向から見たときに互いに平行となり且つ完全に重なると、第１のシート状導体３０と第１の導体層２０１との間の電磁結合が極めて弱まることがシミュレーションにより知られている。しかしながら、本実施形態では、直線部３０Ａと直線部３０Ｂとが幅方向においてシフトされて構成されているため、線状導体２０１Ａと第１のシート状導体３０とが、Ｚ軸方向から見たときに互いに平行となり且つ完全に重なることがない。
【００４３】
図５（Ａ）に、図１におけるＡ−Ａ線の断面図を示し、図５（Ｂ）に、図１におけるＢ−Ｂ線の断面図を示す。図５（Ａ）、（Ｂ）に示すように、通信装置１００は、無線基板１０、第１のシート状導体３０、シート状絶縁体２０が、Ｚ軸方向における座標の大きい方から順に重ねられて構成される。これらの構成は、例えば、接着剤（図示せず）により固定される。例えば、接着剤により、無線基板１０の裏面と第１のシート状導体３０の表面とが固定され、シート状導体２０の裏面とシート状絶縁体２０の表面とが固定される。
【００４４】
次に、図６（Ａ）、（Ｂ）を参照して、通信シート２００について説明する。通信シート２００は、通信シート２００の表面に配置された通信装置１００が放射した電波を、Ｘ−Ｙ平面方向に伝播しつつ、通信シート２００の表面から漏れさせる機能を有する。図６（Ａ）は、通信シート２００の平面図である。図６（Ａ）に示すように、通信シート２００は、メッシュ状の開孔が形成された第１の導体層２０１を含む。
【００４５】
図６（Ｂ）は、図６（Ａ）におけるＣ−Ｃ線の断面図である。図６（Ｂ）に示すように、通信シート２００は、保護フィルム２０４、第１の導体層２０１、絶縁体層２０３、第２の導体層２０２、保護フィルム２０５が、Ｚ軸方向における座標の大きい方から順に重ねられて構成される。
【００４６】
第１の導体層２０１は、導体により構成され、メッシュ状の開孔が形成された層である。第１の導体層２０１は、通信シート２００の内部を伝搬する電波を開孔から漏れ出させて、浸出領域２０６を形成する機能を有する。第１の導体層２０１は、例えば、Ｘ軸方向に伸びる複数の線状導体とＹ軸方向に伸びる複数の線状導体とが相互に交差することにより、複数の開孔が形成された層である。本実施形態では、開孔の形状は正方形であり、Ｘ軸方向及びＹ軸方向における開孔の周期であるＤｘ２００は、７ｍｍであるものとする。なお、本実施形態では、理解を容易にするため、図面において、メッシュ状の開孔を実際の寸法よりも大きく示している。
【００４７】
第２の導体層２０２は、導体により構成された平板状の層である。第２の導体層２０２は、通信シート２００の内部を伝搬する電波が、通信シート２００の裏面から漏れ出ることを抑制する機能を有する。第１の導体層２０１や第２の導体層２０２のサイズ（Ｘ軸方向の長さ、Ｙ軸方向の長さ、Ｚ軸方向の長さ）は、例えば、３０ｃｍ×３０ｃｍ×３２μｍである。第１の導体層２０１や第２の導体層２０２は、例えば、金、銀、銅、アルミ、鉄、各種の合金などの金属により構成される。
【００４８】
絶縁体層２０３は、絶縁体により構成された層である。絶縁体層２０３は、通信装置１００から放射された電波を、通信シート２００が広がる方向、つまり、Ｘ−Ｙ平面方向に伝搬する機能を有する。絶縁体層２０３は、通信に用いられる電波の周波数（例えば、２．４５ＧＨｚ）に応じた低誘電率の絶縁体であることが望ましい。例えば、絶縁体層２０３は、発泡ポリオレフィンにより構成される。絶縁体層２０３のサイズは、例えば、３０ｃｍ×３０ｃｍ×１ｍｍである。
【００４９】
保護フィルム２０４は、絶縁体により構成された層である。保護フィルム２０４は、第１の導体層２０１の表面が傷つけられたり、第１の導体層２０１の表面が外部の導体と接触したりすることを抑制する機能を有する。保護フィルム２０５は、絶縁体により構成された層である。保護フィルム２０５は、第２の導体層２０２の表面が傷つけられたり、第２の導体層２０２の裏面が外部の導体と接触したりすることを抑制する機能を有する。保護フィルム２０４や保護フィルム２０５は、例えば、ＰＥＴ（ポリエチレンテレフタレート）により構成される。
【００５０】
浸出領域２０６は、通信シート２００内を伝搬する電波が通信シート２００の表面から漏れ出る領域である。つまり、通信シート２００は、通信装置１００から放射された電波を浸出領域２０６に局在化させる。そして、通信装置１００の通信相手である通信装置３００が通信シート２００の表面に配置され、通信装置３００のアンテナが浸出領域２０６内にあるときに、通信装置１００と通信装置３００との通信が可能となる。
【００５１】
次に、図７を参照して、通信シート２００に対する通信装置１００の配置の仕方について説明する。図７に示すように、通信装置１００は、無線基板１０の裏面が第１の導体層２０１の表面と対向するように、通信シート２００上に配置される。厳密には、通信装置１００は、シート状絶縁体２０の裏面が保護フィルム２０４の表面と接するように、通信シート２００上に配置される。
【００５２】
次に、図８から図１０を参照して、通信装置１００が発信した電波による電界強度のシミュレーション結果について説明する。以下、第１のシート状導体３０の有無により決定される２つの条件におけるシミュレーション結果について説明する。
【００５３】
図８から図９に、各条件における電界強度の分布を示す。図８から図９では、Ｚ＝０におけるＸ−Ｙ平面上の電界強度を図の左側に表し、Ｘ＝０におけるＹ−Ｚ平面上の電界強度を図の右側に表している。なお、絶縁体層２０３のＺ軸方向における中間部分のＺ軸方向における座標をＺ＝０とする。また、線状導体２０１ＢのＸ軸方向における中心部分のＸ軸方向における座標をＸ＝０とする。なお、線状導体２０１Ｂは、第１の導体層２０１を構成するＹ軸方向に伸びる線状導体２０１Ａのうち、無線基板１０の中心から最も近い線状導体である。また、Ｘ＝０におけるＹ−Ｚ平面は、図７におけるＤ−Ｄ線の断面である。また、電界強度は、０から４０（Ｖ／ｍ）、４０から１５０（Ｖ／ｍ）、１５０から４００（Ｖ／ｍ）、４００から１０００（Ｖ／ｍ）の４段階で示している。電界強度は、高いほど濃い色で示している。
【００５４】
まず、図８に、第１の条件における電界強度の分布を示す。第１の条件は、第１のシート状導体３０がないという条件である。第１の条件では、アンテナ１１を中心として通信シート２００の表面の全体から電波が放射されるが、電波強度はそれ程高くなく、最大利得はかなり小さくなる。
【００５５】
次に、図９に、第２の条件における電界強度の分布を示す。第２の条件は、第１のシート状導体３０があるという条件である。第２の条件では、アンテナ１１を中心として通信シート２００の表面の全体から電波が放射され、電波強度はかなり高く、最大利得はそれ程大きくない。電波強度がかなり高くなる理由は、アンテナ１１と第１のシート状導体３０とが電磁的に強く結合し、更に、第１のシート状導体３０と第１の導体層２０１とが電磁的に強く結合するためである。また、最大利得がそれ程大きくない理由は、第１のシート状導体３０をＺ軸方向からみたときの面積が小さく、第１のシート状導体３０から空気中に漏れる電波が少ないためである。
【００５６】
以下、図１０を参照して、第１の条件と第２の条件とにおけるシミュレーション結果について説明する。図１０は、第１の条件と第２の条件とにおける電界強度と最大利得とを対応付けた表である。図１０において、電界強度の差分は、第１の条件における電界強度を基準としたときの相対的な値であり、最大利得の差分は、第１の条件における最大利得を基準としたときの相対的な値である。
【００５７】
ここで、電界強度は高いほど望ましい。その理由は、電界強度が低いと、通信装置１００から通信装置３００に十分に電波が伝搬されないためである。電界強度は、例えば、３００Ｖ／ｍ以上であることが好適である。また、最大利得は小さいほど望ましい。その理由は、最大利得が大きいことは、空気中に多くの電波が放射されることを意味し、無駄な電力を消費するだけでなく、ノイズの発生源にもなり得るためである。
【００５８】
なお、電界強度の高さと最大利得の小ささとのいずれを重視するのかは、考え方にもよる。例えば、通信装置１００が発信する電波の強度が低い場合、最低限度の電波強度を確保するためには、最大利得の小ささをあまり重視せず、電界強度の高さを重視することが好適である。一方、例えば、ノイズを発生させたくない環境にあっては、電界強度の高さをあまり重視せず、最大利得の小ささを重視することが好適である。なお、通信装置１００が発信する電波の強度が調整可能である場合、同じ電界強度を得られるように電波の強度を調整したときに、最大利得が小さくなる条件の方が望ましい。
【００５９】
第１の条件では、最大利得は小さいものの十分な電界強度（例えば、３００Ｖ／ｍ）が得られないため、好ましくない。一方、第２の条件では、十分な電界強度が得られ、最大利得も低い。従って、第２の条件が、良好な通信を実現しつつ、電力の浪費やノイズの発生を抑制することができる。
【００６０】
以上説明したように、本実施形態によれば、第１のシート状導体３０によりアンテナ１１から放射された電波を効率的に通信シート２００に伝搬することができる。また、本実施形態では、第１のシート状導体３０が直線部３０Ａと直線部３０Ｂとを有する。このため、通信装置１００を通信シート２００上にどのような向きで配置したとしても、アンテナ１１と第１のシート状導体３０との電磁結合が弱まることを回避可能である。また、第１のシート状導体３０は、線状であるため、空気中に放射される電波を低減可能である。従って、後述する第２のシート状導体４０を設ける必要がない。
【００６１】
また、本実施形態では、通信装置１００と通信シート２００とを分離可能である。従って、本実施形態によれば、大きく分けて、２つの使用方法が考えられる。１つ目の使用方法は、通信装置１００と通信シート２００とが分離可能でないと採用することが困難な使用方法である。２つ目の使用方法は、通信装置１００と通信シート２００とが分離可能でなくても採用することが可能な使用方法である。
【００６２】
１つ目の使用方法では、図１１に示すように、通信シート２００に加え、複数の通信装置１００と１つの通信装置３００とを使用する。ここでは、通信装置１００は、通信装置１００Ａ、通信装置１００Ｂ、通信装置１００Ｃの３つであるものとする。なお、通信装置１００Ａ、通信装置１００Ｂ、通信装置１００Ｃは、互いに同様の構成及び機能を有し、特に説明がない場合、通信装置１００として総称する。まず、図１２を参照して、通信装置１００の機能的な構成について説明し、図１３を参照して、通信装置３００の機能的な構成について説明する。
【００６３】
図１２に示すように、通信装置１００は、機能的には、制御部１０１と、無線通信部１０２と、記憶部１０３と、アンテナ１１（送受信部）とを備える。制御部１０１は、ＣＰＵ（Central Processing Unit）、ＲＡＭ（Random Access Memory）、ＲＯＭ（Read Only Memory）などを備え、通信装置１００全体の動作を制御する。無線通信部１０２は、制御部１０１による制御に従って、アンテナ１１を用いて、電波を送信し、また、電波を受信する。記憶部１０３は、フラッシュメモリなどであり、通信装置１００が使用する各種の情報を記憶する。例えば、記憶部１０３は、通信装置１００の識別情報又は通信装置１００のユーザの識別情報を記憶する。アンテナ１１は、通信装置３００から電波を受信し、また、通信装置３００に電波を送信する。
【００６４】
図１３に示すように、通信装置３００は、機能的には、制御部３０１と、無線通信部３０２と、記憶部３０３と、アンテナ３０４（送受信部）と、表示制御部３０５と、表示部３０６とを備える。制御部３０１は、ＣＰＵ、ＲＡＭ、ＲＯＭなどを備え、通信装置３００全体の動作を制御する。無線通信部３０２は、制御部３０１による制御に従って、アンテナ３０４を用いて、電波を送信し、また、電波を受信する。記憶部３０３は、フラッシュメモリなどであり、通信装置３００が使用する各種の情報を記憶する。例えば、記憶部１０３は、認証情報を記憶する。認証情報は、識別情報が正当な識別情報であるか否かを判別するために、識別情報と比較するための情報である。アンテナ３０４は、通信装置１００から電波を受信し、また、通信装置１００に電波を送信する。表示制御部３０５は、制御部３０１による制御に従って、表示部３０６に情報を表示する。表示部３０６は、液晶ディスプレイやタッチスクリーンであり、表示制御部３０５による制御に従って、情報を表示する。
【００６５】
１つ目の使用方法では、１つの通信装置３００（例えば、タブレット端末）を、通信シート２００の表面に予め配置しておく。そして、この通信シート２００に、識別情報を示す電波を送信する通信装置１００が配置されると、通信装置３００は、通信装置１００が送信した電波を、通信シート２００を介して受信する。そして、通信装置３００は、受信した電波により示される識別情報を予め記憶された認証情報と照合する。そして、通信装置３００は、認証が得られた場合に予め定められた情報を画面に表示する。
【００６６】
１つ目の使用方法は、例えば、通信装置１００を所持する会議の出席者が会議に出席して通信装置１００を通信シート２００上に配置した場合、つまり、会議の出席者の認証が得られた場合に、会議の主催者が所持する通信装置３００が会議に関する情報を表示する際に利用可能である。このような使用方法によれば、会議に関する情報へのアクセスをその場に限定することができ、情報漏洩等のリスクを大幅に低減することが可能である。
【００６７】
また、特に秘匿性の高い情報を扱う場合、複数の出席者が揃ったこと、つまり、複数の出席者の認証が得られたことに応答して、この秘匿性の高い情報が表示されるようにしてもよい。例えば、第１の識別情報と第２の識別情報と第３の識別情報とにより３人の認証が得られた場合に限り、通信装置３００が会議に関する情報を表示するようにしてもよい。この場合、まず、会議室に敷設された通信シート２００上に通信装置３００を配置しておく。通信装置３００は、少なくとも３人分の認証情報（第１の認証情報、第２の認証情報、第３の認証情報）を記憶しておく。ここで、１人目の出席者が第１の識別情報を示す電波を送信する通信装置１００Ａを通信シート２００上に配置しただけでは、通信装置３００は会議に関する情報を表示しない。また、２人目の出席者が第２の識別情報を示す電波を送信する通信装置１００Ｂを通信シート２００上に配置しても、通信装置３００は会議に関する情報を表示しない。ここで、３人目の出席者が第３の識別情報を示す電波を送信する通信装置１００Ｃを通信シート２００上に配置すると、通信装置３００は会議に関する情報を表示する。
【００６８】
図１４に、通信装置３００が実行する表示制御処理のフローチャートを示す。まず、通信装置３００は、識別情報を受信したか否かを判別する（ステップＳ１０１）。通信装置３００は、識別情報を受信していないと判別すると（ステップＳ１０１：ＮＯ）、ステップＳ１０１に処理を戻す。一方、通信装置３００は、識別情報を受信したと判別すると（ステップＳ１０１：ＹＥＳ）、受信した識別情報を記憶部３０３に記憶する（ステップＳ１０２）。なお、通信装置１００Ａは、通信シート２００に配置されたことに応答して、第１の識別情報を通信装置３００に送信することが可能となる。通信装置１００Ｂは、通信シート２００に配置されたことに応答して、第２の識別情報を通信装置３００に送信することが可能となる。通信装置１００Ｃは、通信シート２００に配置されたことに応答して、第３の識別情報を通信装置３００に送信することが可能となる。
【００６９】
通信装置３００は、ステップＳ１０２の処理を完了すると、全ての識別情報が収集されたか否かを判別する（ステップＳ１０３）。通信装置３００は、いずれかの識別情報が収集されていないと判別すると（ステップＳ１０３：ＮＯ）、ステップＳ１０１に処理を戻す。通信装置３００は、第１の認証情報と第１の識別情報とが一致するか否かにより第１の識別情報を認証し、第２の認証情報と第２の識別情報とが一致するか否かにより第２の識別情報を認証し、第３の認証情報と第３の識別情報とが一致するか否かにより第３の識別情報を認証する。全ての識別情報の認証に成功した場合、つまり、第１の認証情報と第１の識別情報とが一致し、第２の認証情報と第２の識別情報とが一致し、第３の認証情報と第３の識別情報とが一致すると判別した場合、全ての識別情報が収集されたと判別する。なお、第１の認証情報と第２の認証情報と第３の認証情報とは予め記憶部３０３に記憶されており、第１の識別情報と第２の識別情報と第３の識別情報とは受信した後に記憶部３０３に記憶される。一方、通信装置３００は、全ての識別情報が収集されたと判別すると（ステップＳ１０３：ＹＥＳ）、表示部３０６に情報を表示する（ステップＳ１０４）。
【００７０】
２つ目の使用方法では、図１５に示すように、通信シート２００に加え、１つの通信装置１００と複数の通信装置３００とを使用する。ここでは、通信装置３００は、通信装置３００Ａ、通信装置３００Ｂ、通信装置３００Ｃの３つであるものとする。なお、通信装置３００Ａ、通信装置３００Ｂ、通信装置３００Ｃは、互いに同様の構成及び機能を有し、特に説明がない場合、通信装置３００として総称する。２つ目の使用方法では、予め定められた情報を示す電波を送信する通信装置１００を、通信シート２００の表面に予め配置しておく。
【００７１】
そして、この通信シート２００に通信装置３００が配置されると、通信装置３００は、通信装置１００が送信した電波を、通信シート２００を介して受信する。そして、通信装置３００は、受信した電波により示される情報を画面に表示する。２つ目の使用方法は、例えば、通信装置１００を所持する会議の主催者が、会議の出席者が所持する通信装置３００に会議に関する情報を送信したり表示させたりする際に利用可能である。２つ目の使用方法を採用する場合であっても、通信装置１００と通信シート２００とを分離できるため、収容時や持ち運び時における利便性が高い。
【００７２】
（実施形態２）
実施形態１では、第１のシート状導体３０がシート状絶縁体２０の表面のみに配置される例について説明した。本発明において、第１のシート状導体３１がシート状絶縁体２０の表面とシート状絶縁体２０の裏面とにかけて配置されてもよい。図１６に示すように、本実施形態に係る通信装置１１０が備える第１のシート状導体３１は、シート状絶縁体２０の表面とシート状絶縁体２０の裏面とを跨ぐようにシート状絶縁体２０に配置される。
【００７３】
図１７に示すように、第１のシート状導体３１は、シート状且つ線状の導体を折り曲げて構成される。第１のシート状導体３１は、直線部３１Ａと直線部３１Ｂと第１の連結部３１Ｃと直線部３１Ｆと第２の連結部３１Ｇとを有する。直線部３１Ａは、第２の直線部である。直線部３１Ｂは、第３の直線部である。直線部３１Ｆは、第１の直線部である。直線部３１Ａと直線部３１Ｂと第１の連結部３１Ｃとは、シート状絶縁体２０の裏面に配置される。直線部３１Ｆは、シート状絶縁体２０の表面に配置される。第２の連結部３１Ｇは、シート状絶縁体２０の側面に配置される。
【００７４】
直線部３１Ａと直線部３１Ｂと第１の連結部３１Ｃとは、それぞれ、実施形態１における、直線部３０Ａと直線部３０Ｂと第１の連結部３０Ｃとに対応する。従って、直線部３１Ａの幅方向における中心線である中心線３１Ｄと、直線部３１Ｂの幅方向における中心線である中心線３１Ｅとは、平行であるが、幅方向において重ならず、幅方向においてシフトされている。かかる構成によれば、直線部３１Ａと直線部３１Ｂとのうちの少なくとも一方は、第１の導体層２０１との間で電磁的に強く結合する。
【００７５】
また、ミアンダ配線１２の中心線である中心線１２Ａと、直線部３１Ｆの幅方向における中心線である中心線３１Ｈとが、平行となり、Ｚ軸方向から見てほぼ重なるように配置される。かかる構成によれば、アンテナ１１が有するミアンダ配線１２とシート状導体３１が有する直線部３１Ｆとが電磁的に強く結合する。
【００７６】
本実施形態によれば、シート状絶縁体２０の厚さ方向における長さが大きい場合でも、実施形態１と同様の効果が得られる。
【００７７】
（実施形態３）
実施形態１では、第１のシート状導体３０が直線状でない例について説明した。本発明において、図１８に示すように、通信装置１２０は、直線状である第１のシート状導体３２を備えていてもよい。第１のシート状導体３２のうち、アンテナ１１と重なる部分が第１の直線部となる。この場合、第１のシート状導体３２は、アンテナ１１との間で電磁的に結合するとともに、第１の導体層２０１との間でも電磁的に結合する。第１のシート状導体３２の長手方向における長さは、第１のシート状導体３０の長手方向における長さと同程度である。
【００７８】
（実施形態４）
実施形態３では、第１のシート状導体３２がシート状絶縁体２０の表面のみに配置される例について説明した。本発明において、第１のシート状導体３３がシート状絶縁体２０の表面とシート状絶縁体２０の裏面とにかけて配置されてもよい。第１のシート状導体３３のうち、シート状絶縁体２０の表面に配置された部分であってアンテナ１１と重なる部分が第１の直線部となる。図１９に示すように、通信装置１３０が備える第１のシート状導体３３は、シート状絶縁体２０の表面とシート状絶縁体２０の裏面とを跨ぐようにシート状絶縁体２０に配置される。本実施形態によれば、シート状絶縁体２０の厚さ方向における長さが大きい場合でも、実施形態３と同様の効果が得られる。
【００７９】
（実施形態５）
実施形態１では、アンテナ１１がミアンダ配線１２を有する線状アンテナである例について説明した。本発明において、アンテナ１４がミアンダ配線１２を有さない線状アンテナであってもよい。例えば、図２０に示すように、無線基板１３は、ミアンダ配線１２に代えて、線状配線１５を有する線状アンテナであってもよい。線状配線１５は、中心線１５Ａを中心にして長手方向に一直線状に伸びる配線である。線状配線１５のＸ軸方向における長さであるＤｘ１５は、例えば、Ｄｘ１２と同様に、１５ｍｍ程度である。
【００８０】
（実施形態６）
実施形態１では、第１のシート状導体３０が線状である例について説明した。本発明において、第１のシート状導体３４が平板状であってもよい。図２１は、本発明の実施形態６に係る通信装置１４０の平面図である。通信装置１４０は、無線基板１０と、シート状絶縁体２０と、第１のシート状導体３４と、第２のシート状導体４０と、を備える。
【００８１】
第１のシート状導体３４は、基本的に、容量結合によりアンテナ１１と結合し、容量結合により導体層２０１と結合する。第１のシート状導体３４は、シート状の導体ではあるが、線状ではなく平板状である。
【００８２】
第２のシート状導体４０は、第１のシート状導体３４から放射された電波が空気中に漏れることを抑制する導体である。第２のシート状導体４０は、第１のシート状導体３４から放射された電波が空気中に漏れないように、第１のシート状導体３４から放射された電波を引き込む。従って、第１のシート状導体３４と第２のシート状導体４０とは電磁的に結合する。第２のシート状導体４０は、シート状に形成された導体であり、金、銀、銅、アルミ、鉄、各種の合金などの金属により構成される。
【００８３】
第１のシート状導体３４と第２のシート状導体４０とは、Ｚ軸方向から見たときに、少なくとも一部が重なるか近接することが望ましい。本実施形態では、第１のシート状導体３４と第２のシート状導体４０とは、Ｚ軸方向から見たときに、一部が重なる例について説明する。
【００８４】
本実施形態では、無線基板１０が有する２つの面の形状、シート状絶縁体２０が有する２つの面の形状、第１のシート状導体３４が有する２つの面の形状、第２のシート状導体４０が有する２つの面の形状は、いずれも長方形であるものとする。第１のシート状導体３４のＸ軸方向の長さであるＤｘ３４は、例えば、１０ｍｍである。第１のシート状導体３４のＹ軸方向の長さであるＤｙ３４は、例えば、３８ｍｍである。第２のシート状導体４０のＸ軸方向の長さであるＤｘ４０は、例えば、２０ｍｍである。第２のシート状導体４０のＹ軸方向の長さであるＤｙ４０は、例えば、３８ｍｍである。また、図２１に示すように、無線基板１０のＹ軸方向における端部から第２のシート状導体４０のＹ軸方向における端部までのＹ軸方向における距離であるＤｙ１０は、例えば、２ｍｍである。
【００８５】
ここで、第１のシート状導体３４の長手方向における長さであるＤｙ３４は、無線基板１０が発信する電波の絶縁体層２０３内における波長の０．１倍から１倍程度の範囲の長さであることが好ましく、電波の絶縁体層２０３内における波長の０．５倍程度であることがより好ましい。Ｄｙ３４がこの程度の長さであれば、アンテナ１１と第１のシート状導体３４との間の電磁的な結合が強くなり、また、第１のシート状導体３４と第１の導体層２０１との間の電磁的な結合が強くなる。
【００８６】
また、第２のシート状導体４０の長手方向における長さであるＤｙ４０は、第１のシート状導体３４の長手方向における長さであるＤｙ３４と同程度であることが好適である。Ｄｙ４０がこの程度の長さである場合、第１のシート状導体３４と第２のシート状導体４０との電磁的な結合が強くなる。その結果、第２のシート状導体４０による、第１のシート状導体３４から放射された電波が空気中に放射されることの抑制効果が高まる。
【００８７】
図２２は、本発明の実施形態１に係る通信装置１００の底面図である。なお、図２２では、理解を容易にするため、第２のシート状導体４０とシート状絶縁体２０とは、存在しない（或いは透明である）ものとして、破線で示している。図２２に示すように、第１のシート状導体３４は、Ｚ軸方向から見たときに、アンテナ１１に近接する部分を有する。図２２に示す例では、第１のシート状導体３４の長手方向（Ｙ軸方向）における端部である端部３４Ａが、アンテナ１１に近接する部分である。なお、第１のシート状導体３４の短辺又は長辺が、中心線１２Ａと平行になるように、第１のシート状導体３４が配置される。図２２には、第１のシート状導体３４の短辺が、中心線１２Ａと平行になるように、第１のシート状導体３４が配置される例を示している。かかる構成によれば、アンテナ１１と第１のシート状導体３４との電磁結合が強くなる。
【００８８】
また、第１のシート状導体３４は、Ｚ軸方向から見たときに、アンテナ１１に重なる部分を有していてもよい。この場合でも、アンテナ１１の表面には絶縁皮膜が設けられているため、アンテナ１１と第１のシート状導体３４とは接触しない。また、図２２に示すように、無線基板１０のＹ軸方向における端部から第１のシート状導体３４のＹ軸方向における端部までのＹ軸方向における距離であるＤｙ１２は、例えば、５ｍｍである。
【００８９】
図２３（Ａ）に、図２１におけるＥ−Ｅ線の断面図を示し、図２３（Ｂ）に、図２１におけるＦ−Ｆ線の断面図を示す。図２３（Ａ）、（Ｂ）に示すように、通信装置１４０は、無線基板１０、第１のシート状導体３４、シート状絶縁体２０、第２のシート状導体４０が、Ｚ軸方向における座標の大きい方から順に重ねられて構成される。これらの構成は、例えば、接着剤（図示せず）により固定される。例えば、接着剤により、無線基板１０の裏面と第１のシート状導体３４の表面、シート状導体３４の裏面とシート状絶縁体２０の表面、シート状絶縁体２０の裏面と第２のシート状導体４０の表面がそれぞれ固定される。
【００９０】
無線基板１０の厚さは、例えば、１ｍｍ程度である。第１のシート状導体３４は、アンテナ１１や第２のシート状導体４０と電磁的に強く結合することが可能であれば、軽量化や小型化の観点からなるべく薄い方が好ましい。同様に、第２のシート状導体４０は、アンテナ１１や第２のシート状導体４０と電磁的に強く結合することが可能であれば、軽量化や小型化の観点からなるべく薄い方が好ましい。第１のシート状導体３４や第２のシート状導体４０の厚さは、例えば、１０μｍである。シート状絶縁体２０は、無線基板１０を支持する必要がある。従って、シート状絶縁体２０の厚さは、ある程度厚いことが望ましく、例えば、１ｍｍである。
【００９１】
次に、図１０、図２４、図２５を参照して、通信装置１４０が発信した電波による電界強度のシミュレーション結果について説明する。以下、第２のシート状導体４０の有無により決定される２つの条件（第３の条件、第４の条件）におけるシミュレーション結果について説明する。
【００９２】
まず、図２４に、第３の条件における電界強度の分布を示す。第３の条件は、第１のシート状導体３４があり、第２のシート状導体４０がないという条件である。第３の条件では、アンテナ１１を中心として通信シート２００の表面の全体から電波が放射されるが、電波強度はかなり高く、最大利得もかなり大きい。電波強度がかなり高くなる理由は、アンテナ１１と第１のシート状導体３３とが電磁的に強く結合し、更に、第１のシート状導体３３と第１の導体層２０１とが電磁的に強く結合するためである。また、最大利得がかなり大きい理由は、第１のシート状導体３４から空気中に電波が漏れてしまうためである。
【００９３】
次に、図２５に、第４の条件における電界強度の分布を示す。第４の条件は、第１のシート状導体３４があり、第２のシート状導体４０があるという条件である。第４の条件では、アンテナ１１を中心として通信シート２００の表面の全体から電波が放射されるが、電波強度は比較的高く、最大利得はそれ程大きくない。電波強度が比較的高くなる理由は、アンテナ１１と第１のシート状導体３４とが電磁的に強く結合し、更に、第１のシート状導体３４と第１の導体層２０１とが電磁的に強く結合するためである。また、最大利得がそれ程大きくない理由は、第１のシート状導体３４と第２のシート状導体４０とが電磁的に結合することにより、第１のシート状導体３４から空気中に電波が漏れにくくなるからである。
【００９４】
以下、図１０を参照して、第３の条件と第４の条件とにおけるシミュレーション結果について説明する。第３の条件では、十分な電界強度が得られるが、最大利得は大きい。このため、第３の条件では、通信装置１４０が発信する電波の強度を弱めることにより、最大利得を抑えつつ、十分な電界強度が得られる可能性がある。次に、第４の条件では、十分な電界強度が得られ、最大利得も低い。従って、第４の条件が、良好な通信を実現しつつ、電力の浪費やノイズの発生を抑制することができる。
【００９５】
以上説明したように、本実施形態によれば、第１のシート状導体３４によりアンテナ１１から放射された電波を効率的に通信シート２００に伝搬することができる。また、本実施形態によれば、第２のシート状導体４０により、第１のシート状導体３４から空気中に電波が放射されにくくなる。
【００９６】
（実施形態７）
実施形態１では、第１のシート状導体３０が２つの直線部（直線部３０Ａ、直線部３０Ｂ）を備える例について説明した。本発明において、図２６に示すように、直線部３５Ａと傾斜部３５Ｂとを備えていてもよい。直線部３５Ａは、第１の直線部である。直線部３５Ａは、直線部３０Ａと対応する。従って、直線部３５Ａの幅方向における中心線である中心線３５Ｄと、ミアンダ配線１２の中心線１２Ａとが、平行になり、且つ、Ｚ軸方向から見て、近接又は重なるように配置される。また、直線部３５Ａの幅方向の長さはＤｙ３１であり、直線部３５Ａの長手方向の長さはＤｘ３１である。かかる構成によれば、ミアンダ配線１２と直線部３５Ａとが電磁的に結合する。
【００９７】
第１のシート状導体３５の長手方向における長さは、第１のシート状導体３０の長手方向における長さと同程度であることが好適であり、Ｄｘ３０であるものとする。この場合、第１の導体層２０１と第１のシート状導体３５とが電磁的に強く結合する。なお、傾斜部３５Ｂの長手方向における長さであるＤｘ３４は、Ｄｘ３０からＤｘ３１を減じた長さとなる。このように、第１のシート状導体３５は、ミアンダ配線１２と電磁的に強く結合するためにミアンダ配線１２と平行に配置される直線部３５Ａを有することが望ましいが、第１の導体層２０１のみと電磁的に結合する部分（傾斜部３５Ｂ）は直線状でなくてもよいし、ミアンダ配線１２と平行でなくてもよい。
【００９８】
（実施形態８）
実施形態７では、第１のシート状導体３５が直線部３５Ａと傾斜部３５Ｂとを備える例について説明した。本発明において、図２７に示すように、第１のシート状導体３６が直線部３６Ａと湾曲部３６Ｂとを備えていてもよい。直線部３６Ａは、第１の直線部である。直線部３６Ａは、直線部３０Ａや直線部３５Ａと対応する。従って、直線部３６Ａの幅方向における中心線である中心線３６Ｄと、ミアンダ配線１２の中心線１２Ａとが、平行になり、且つ、Ｚ軸方向から見て、近接又は重なるように配置される。また、直線部３６Ａの幅方向の長さはＤｙ３１であり、直線部３６Ａの長手方向の長さはＤｘ３１である。かかる構成によれば、ミアンダ配線１２と直線部３６Ａとが電磁的に結合する。
【００９９】
第１のシート状導体３６の長手方向における長さは、第１のシート状導体３０や第１のシート状導体３５の長手方向における長さと同程度であることが好適であり、Ｄｘ３０であるものとする。この場合、第１の導体層２０１と第１のシート状導体３６とが電磁的に強く結合する。湾曲部３６Ｂは、幅方向において湾曲する部分である。なお、湾曲部３６Ｂの長手方向における長さであるＤｘ３４は、Ｄｘ３０からＤｘ３１を減じた長さとなる。このように、第１のシート状導体３６は、ミアンダ配線１２と電磁的に強く結合するためにミアンダ配線１２と平行に配置される直線部３６Ａを有することが望ましいが、第１の導体層２０１のみと電磁的に結合する部分（湾曲部３６Ｂ）は直線状でなくてもよいし、ミアンダ配線１２と平行でなくてもよい。
【０１００】
以下、通信装置１６０及び通信シート２００の使用例について具体的に説明する。なお、通信装置１６０は、上述した実施形態１−８に係る通信装置である。
（使用例１）
使用例１では、通信装置１６０及び通信シート２００を、水族館、美術館、博物館等の案内に用いる例、つまり、通信装置１６０及び通信シート２００を館内の案内システムに用いる例について説明する。使用例１では、通信装置１６０は通信シート２００に固定される。なお、無線基板１０と通信シート２００が電磁的に結合するのであれば、通信装置１６０は、シート状絶縁体２０や第１のシート状導体３０などを備えていなくてもよい。つまり、使用例１において、無線基板１０のみにより構成される通信装置１６０が通信シート２００に固定されていてもよい。  
【０１０１】
図２８に、水族館内において、水槽７００の手前に看板７２０が配置された例を示す。水槽７００は、魚７１０を飼育するために水を収容する容器である。魚７１０は、観賞用の魚であり、Ａという名称の魚である。看板７２０は、水槽７００の中にいる魚７１０の説明を提示する看板である。看板７２０の表面には、通信シート２００が配置されている。端末装置８００は、水族館の来客者が携帯している端末装置である。サーバ９００は、水族館を運営する主体が保有するサーバである。記憶装置９０１は、各種の情報を記憶する装置であり、例えば、ハードディスクである。ここでは、記憶装置９０１がサーバ９００に内蔵された例について説明するが、記憶装置９０１はサーバ９００の外部に設けられてもよい。
【０１０２】
通信装置１６０は、通信シート２００の表面（２つの面のうち看板７２０からの距離が遠い方の面）から、魚７１０に関するガイダンス情報を特定するためのガイダンス特定情報と通信シート２００の識別情報とを含むビーコン信号を発信する。なお、使用例１では、通信装置１６０と通信シート２００とは一体で使用される。このため、通信装置１６０の識別情報と通信シート２００の識別情報とは同義であるものと考えることができる。また、通信装置１６０がビーコン信号を発信することを、通信シート２００がビーコン信号を発信することと同義であるものと考えることができる。通信シート２００が発信するビーコン信号は、例えば、通信シート２００の表面からの距離が数センチの範囲内において伝搬する。なお、この距離は、通信装置１６０が発信する電波の強度により調整可能である。ガイダンス情報は、魚７１０の説明に用いられる情報であり、画像情報や音声情報である。
【０１０３】
ガイダンス特定情報は、ガイダンス情報を特定することができる情報であれば、どのような情報であってもよい。ガイダンス特定情報は、例えば、魚７１０の識別情報、通信シート２００の識別情報、ガイダンス情報が格納されたＵＲＬ（Uniform Resource Locator）、ガイダンス情報が格納された記憶装置９０１上のアドレス、ガイダンス情報である。なお、端末装置８００、サーバ９００、記憶装置９０１などには、ガイダンス特定情報とガイダンス情報とが対応付けられて記憶されているものとする。この場合、端末装置８００は、適宜、サーバ９００や記憶装置９０１にアクセスして、ビーコン信号に含まれるガイダンス特定情報から、ガイダンス情報を取得することができる。
【０１０４】
例えば、ガイダンス特定情報が魚７１０の識別情報であり、ガイダンス特定情報とガイダンス情報とを対応付ける情報が記憶装置９０１に記憶されているものとする。この場合、端末装置８００は、ビーコン信号に含まれるガイダンス特定情報をサーバ９００に送信する。一方、サーバ９００は、受信したガイダンス特定情報（魚７１０の識別情報）に対応付けられたガイダンス情報（魚７１０のガイダンス情報）を記憶装置９０１から取得し、端末装置８００に送信する。そして、端末装置８００は、サーバ９００からガイダンス情報を受信する。
【０１０５】
端末装置８００は、例えば、Bluetooth（登録商標）Low Energy（ＢＬＥ）に準拠した２．４ＧＨｚ帯のビーコン信号を受信可能なスマートフォンである。端末装置８００は、画像情報を表示可能であるとともにユーザから操作を受け付け可能なタッチスクリーン８１０を備える。端末装置８００は、図示しないＣＰＵ（Central Processing Unit）、図示しないＲＯＭ（Read Only Memory）、図示しないＲＡＭ（Random Access Memory）、図示しない通信インターフェース、図示しないスピーカ等を備える。この通信インターフェースは、ビーコン信号を受信する機能、サーバ９００と無線通信する機能を有する。端末装置８００が備えるＣＰＵは、例えば、ＲＯＭに記憶されたプログラムに従って、タッチスクリーン８１０の表示を制御したり、通信インターフェースによる通信を制御したりする。
【０１０６】
来客者は、魚７１０に関する詳細な情報を知りたい場合、看板７２０に配置された通信シート２００に端末装置８００を近づける。すると、端末装置８００は、通信シート２００から発信されたビーコン信号を受信し、ビーコン信号に含まれるガイダンス特定情報により特定されるガイダンス情報に基づく画像を表示したり、このガイダンス情報に基づく音声を出力したりする。また、端末装置８００は、通信シート２００からビーコン信号を受信すると、通信シート２００の識別情報と端末装置８００の識別情報とをサーバ９００に送信する。
【０１０７】
サーバ９００は、図示しないネットワークを介して、端末装置８００と無線通信する。サーバ９００は、図示しないＣＰＵ、図示しないＲＯＭ、図示しないＲＡＭ、図示しないハードディスク、図示しないＲＴＣ（Real Time Clock）、図示しない通信インターフェース等を備える。サーバ９００は、端末装置８００から通信シート２００の識別情報と端末装置８００の識別情報とを受信すると、通信シート２００の識別情報と端末装置８００の識別情報と受信時刻を示す受信時刻情報とを対応付けた履歴情報を記憶装置９０１に記憶する。
【０１０８】
ここで、記憶装置９０１には、通信シート２００が配置された位置を示す位置情報が予め記憶されている。また、通信シート２００は、水槽７００又は魚７１０に対応して設置される。従って、位置情報は、水槽７００又は魚７１０を特定する情報とも言える。この場合、例えば、通信シート２００の識別情報と、通信シート２００の位置情報と、水槽７００の識別情報と、魚７１０の識別情報とが、記憶装置９０１に記憶されていればよい。なお、通信シート２００が複数存在する場合、記憶装置９０１には、複数の通信シート２００のそれぞれが配置された位置を示す位置情報が記憶されていればよい。この場合、位置情報は、複数の通信シート２００のそれぞれについて、通信シート２００の識別情報とこの通信シート２００の位置との対応関係を示す情報である。
【０１０９】
サーバ９００が備えるハードディスクに記憶された履歴情報は、様々な処理に適用することができる。例えば、端末装置８００を所有する来客者が、第１の時刻、第２の時刻、第３の時刻において水槽７００の前で端末装置８００を通信シート２００に近づけたとする。この場合、通信シート２００の識別情報と端末装置８００の識別情報と第１の時刻とが対応付けられた第１の履歴情報と、通信シート２００の識別情報と端末装置８００の識別情報と第２の時刻とが対応付けられた第２の履歴情報と、通信シート２００の識別情報と端末装置８００の識別情報と第３の時刻とが対応付けられた第３の履歴情報とが、サーバ９００が備えるハードディスクに記憶される。この場合、サーバ９００は、第１−３の履歴情報と位置情報とに基づいて、端末装置８００を所有する来客者がどの時刻に水槽７００を見学したのかを特定可能となる。
【０１１０】
ここで、例えば、サーバ９００が、水槽７００を異なる日に見学する毎に、水槽７００で飼育されている魚７１０が１段階分成長する育成ゲームを提供しているものとする。この場合、サーバ９００は、来客者が異なる日に水槽７００を見学して端末装置８００を通信シート２００に近づける毎に魚７１０が１段階分成長するように育成ゲームを制御することができる。或いは、サーバ９００は、例えば、水槽７００を異なる日に見学する毎に、段階的に、魚７１０のより詳細な情報を端末装置８００に供給するようにしてもよい。
【０１１１】
また、水族館内に設けられた複数の水槽７００（例えば、第１の水槽、第２の水槽、第３の水槽）のそれぞれに通信シート２００（例えば、第１の通信シート、第２の通信シート、第３の通信シート）が設けられているとする。そして、端末装置８００を所有する来客者が、第１の時刻において第１の水槽の前で端末装置８００を第１の通信シートに近づけ、第２の時刻において第２の水槽の前で端末装置８００を第２の通信シートに近づけ、第３の時刻において第３の水槽の前で端末装置８００を第３の通信シートに近づけたとする。
【０１１２】
この場合、第１の通信シートの識別情報と端末装置８００の識別情報と第１の時刻とが対応付けられた第１の履歴情報と、第２の通信シートの識別情報と端末装置８００の識別情報と第２の時刻とが対応付けられた第２の履歴情報と、第３の通信シートの識別情報と端末装置８００の識別情報と第３の時刻とが対応付けられた第３の履歴情報とが、記憶装置９０１に記憶される。この場合、サーバ９００は、第１−３の履歴情報と位置情報とに基づいて、端末装置８００を所有する来客者の動線を特定可能となる。具体的には、サーバ９００は、端末装置８００を所有する来客者が、第１の水槽、第２の水槽、第３の水槽の順で見学したとみなすことができる。サーバ９００は、適宜、来客者の動線を示す画像情報を、図示しない表示部に表示したり、他の装置（例えば、端末装置８００）に送信したりすることができる。
【０１１３】
このように、使用例１は、通信装置１６０と、通信シート２００と、端末装置８００と、を備える通信システムに適用される。通信シート２００は、通信シート２００の近くに配置された展示物のガイダンス情報を含むビーコン信号を発信する。端末装置８００は、通信シート２００と近接してビーコン信号を受信した場合、ガイダンス情報に基づく画像又は音声を出力する。
【０１１４】
また、使用例１において、通信シート２００を複数備えるとともに、サーバ９００と、記憶装置９０１と、を更に備えてもよい。この場合、複数の通信シート２００のそれぞれは、自通信シートの近くに配置された展示物のガイダンス情報と自通信シートの識別情報とを含むビーコン信号を発信する。また、記憶装置９０１には、複数の通信シート２００のそれぞれが配置された位置を示す位置情報が記憶されている。そして、端末装置８００は、ビーコン信号を受信した場合、ビーコン信号を発信した通信シート２００の識別情報と端末装置８００の識別情報とをサーバ９００に送信する。一方、サーバ９００は、端末装置８００からビーコン信号を発信した通信シート２００の識別情報と端末装置８００の識別情報とを受信した場合、ビーコン信号を発信した通信シート２００の識別情報と端末装置８００の識別情報と受信時刻を示す時刻情報とが対応付けられた履歴情報を、記憶装置９０１に記憶させる。そして、サーバ９００は、履歴情報と位置情報とに基づいて、端末装置８００が移動した経路を示す情報を出力する。
【０１１５】
また、使用例１において、１つの看板７２０に、互いに異なる魚に対応付けられた複数の通信シート１６０が設けられていてもよい。このような場合であっても、ある通信シート１６０（「第１の通信シート」とする。）が発信するビーコン信号が到達する領域と、他の通信シート１６０（「第２の通信シート」とする。）が発信するビーコン信号が到達する領域とは、基本的に重複しない。従って、複数のビーコン信号が互いに干渉することや、意図しない端末装置８００によりビーコン信号が受信されることを抑制可能である。例えば、第２の通信シート上に配置された端末装置８００が、第１の通信シートが発信するビーコン信号を受信することを抑制可能である。
【０１１６】
使用例１では、３次元空間にビーコン信号が伝搬する従来の通信装置ではなく、通信シート２００が備える一方の面の近傍のみにビーコン信号が伝搬する通信装置１６０及び通信シート２００が用いられる。このため、使用例１では、ビーコン信号を、通信シート２００から離れた場所に存在する端末装置８００に誤って送信する可能性が低い。従って、使用例１によれば、ビーコン信号に含まれる情報を、必要な来客者のみに提供することができる。また、使用例１によれば、来客者の位置（端末装置８００の位置）を正確に特定することができる。また、使用例１では、複数の端末装置８００に対して、同時に、ビーコン信号を供給することができる。
【０１１７】
使用例１では、展示物が魚７１０（又は、水槽７００）である例について説明した。展示物は、美術館における絵画や博物館における展示品であってもよい。
【０１１８】
使用例１では、通信装置１６０が通信シート２００に固定される例について説明した。しかしながら、通信装置１６０と通信シート２００とは、元々、分離可能である。従って、例えば、通信シート２００に固定する通信装置１６０を他の通信装置１６０に入れ替えることは容易である。
【０１１９】
（使用例２）
使用例１では、通信装置１６０が通信シート２００に固定される例について説明した。使用例２では、通信装置１６０が通信シート２００に固定されない例について説明する。使用例２では、通信装置１６０Ａと通信装置１６０Ｂと通信装置１６０Ｃと通信シート２００とを館内の案内システムに用いる例について説明する。
【０１２０】
図２９Ａに示すように、水槽７００には魚７００と魚７１１と魚７１２とが飼育されているものとする。ここで、魚７００と魚７１１と魚７１２とは異なる種類の魚である。魚７００はＡという名称の魚であり、魚７１１はＢという名称の魚であり、魚７１２はＣという名称の魚である。看板７２０には、回転部材７３０が回転可能に取り付けられている。
【０１２１】
回転部材７３０は、Ａ、Ｂ及びＣの３種類の魚の中から１種類の魚を選択するための回転操作を受け付ける部材である。回転部材７３０は、回転軸７３４を中心にして回転する薄い円筒状の部材である。回転部材７３０は、底面に直交する方向から見たときに、３つの領域（領域７３１、領域７３２、領域７３３）に分割されている。
【０１２２】
領域７３１、領域７３２、領域７３３は、それぞれ、魚７１０、魚７１１、魚７１２に対応付けられた領域である。回転部材７３０の一方の面（図中において手前側の面）において、領域７３１には魚７１０の絵や名称が描かれ、領域７３２には魚７１１の絵や名称が描かれ、領域７３３には魚７１２の絵や名称が描かれる。また、回転部材７３０の他方の面（図中において奥側の面）において、領域７３１には通信装置１６０Ａが貼付され、領域７３２には通信装置１６０Ｂが貼付され、領域７３３には通信装置１６０Ｃが貼付される。
【０１２３】
通信装置１６０Ａは、魚７１０に関するガイダンス情報を特定するためのガイダンス特定情報と魚７１０の識別情報と通信シート２００の識別情報とを含むビーコン信号を発信する。通信装置１６０Ｂは、魚７１１に関するガイダンス情報を特定するためのガイダンス特定情報と魚７１１の識別情報と通信シート２００の識別情報とを含むビーコン信号を発信する。通信装置１６０Ｃは、魚７１２に関するガイダンス情報を特定するためのガイダンス特定情報と魚７１２の識別情報と通信シート２００の識別情報とを含むビーコン信号を発信する。
【０１２４】
ここで、通信装置１６０Ａと通信装置１６０Ｂと通信装置１６０Ｃとのうちのいずれか１つのみが通信シート２００の表面と近接するように配置される。つまり、来客者は、領域７３１、領域７３２、領域７３３のうちの所望の領域が通信シート２００と重なるように、回転部材７３０を回転させる。すると、通信シート２００と重なる領域に貼付された通信装置（以下、適宜「選択された通信装置」という。）から発信されたビーコン信号が、通信シート２００内で伝搬する。
【０１２５】
ここで、来客者が端末装置８００を通信シート２００に近づけると、選択された通信装置から発信されたビーコン信号を受信し、ビーコン信号に含まれるガイダンス特定情報により特定されるガイダンス情報に基づく画像を表示したり、このガイダンス情報に基づく音声を出力したりする。また、端末装置８００は、通信シート２００からビーコン信号を受信すると、通信シート２００の識別情報と選択された魚の識別情報と端末装置８００の識別情報とをサーバ９００に送信する。
【０１２６】
サーバ９００は、端末装置８００から通信シート２００の識別情報と選択された魚の識別情報と端末装置８００の識別情報とを受信すると、通信シート２００の識別情報と選択された魚の識別情報と端末装置８００の識別情報と受信時刻情報とを対応付けた履歴情報を記憶装置９０１に記憶する。サーバ９００は記憶装置９０１が記憶する履歴情報及び位置情報に基づいて、来客者が水槽７００を見学した時刻や、来場者が興味を持つ魚の種類などを特定することができる。従って、サーバ９００は、使用例１と同様に、魚の育成ゲームにおいて来客回数に応じて魚を成長させたり、来客者の動線を示す情報を提示したりすることができる。
【０１２７】
このように、使用例２は、複数の通信装置（通信装置１６０Ａ−１６０Ｃ）と、通信シート２００と、端末装置８００と、支持部材（看板７２０、回転部材７３０）と、を備える通信システムに適用される。支持部材は、複数の通信装置（通信装置１６０Ａ−１６０Ｃ）のうちいずれか１つが選択通信装置として通信シート２００と近接する位置に配置されるように、複数の通信装置（通信装置１６０Ａ−１６０Ｃ）を支持する。また、複数の通信装置（通信装置１６０Ａ−１６０Ｃ）のそれぞれは、自通信装置に対応付けられた展示物のガイダンス情報を含むビーコン信号を発信する。そして、通信シート２００は、選択通信装置が発信したビーコン信号を伝搬する。ここで、端末装置８００は、通信シート２００と近接してビーコン信号を受信した場合、選択通信装置に対応付けられた展示物のガイダンス情報に基づく画像又は音声を出力する。
【０１２８】
使用例２によっても、使用例１と同様の効果が得られる。更に、使用例２では、通信シート２００内を伝搬させるビーコン信号を発信する通信装置を選択することができる。従って、使用例２によれば、来客者に供給する情報を来客者に選択させることができる。
【０１２９】
（使用例２の変形例）
また、図２９Ｂに示すように、使用例２において、通信装置１６０Ａと通信装置１６０Ｂと通信装置１６０Ｃと通信シート２００とに加え、更に、通信シート２００に固定された通信装置１６０を用いることもできる。
【０１３０】
この場合、通信装置１６０は、通信シート２００の識別情報と魚の選択を促すメッセージ情報とを含むビーコン信号を発信する。通信装置１６０Ａは、魚７１０に関するガイダンス情報を特定するためのガイダンス特定情報と魚７１０の識別情報とを含むビーコン信号を発信する。通信装置１６０Ｂは、魚７１１に関するガイダンス情報を特定するためのガイダンス特定情報と魚７１１の識別情報とを含むビーコン信号を発信する。通信装置１６０Ｃは、魚７１２に関するガイダンス情報を特定するためのガイダンス特定情報と魚７１２の識別情報とを含むビーコン信号を発信する。
【０１３１】
ここで、通信装置１６０Ａと通信装置１６０Ｂと通信装置１６０Ｃとのうちのいずれか１つのみが通信シート２００の表面と近接するように配置される。つまり、来客者は、領域７３１、領域７３２、領域７３３のうちの所望の領域が通信シート２００と重なるように、回転部材７３０を回転させる。すると、通信シート２００と重なる領域に貼付された通信装置（以下、適宜「選択された通信装置」という。）から発信されたビーコン信号が、通信シート２００内で伝搬する。なお、通信装置１６０から発信されたビーコン信号は、常に通信シート２００内で伝搬する。
【０１３２】
ここで、来客者が端末装置８００を通信シート２００に近づけると、端末装置８００は、通信装置１６０から発信されたビーコン信号と、選択された通信装置から発信されたビーコン信号とを受信する。そして、端末装置８００は、通信装置１６０から発信されたビーコン信号に含まれるメッセージ情報に基づいて、魚の選択を促すメッセージを表示したり音声出力したりする。また、端末装置８００は、選択された通信装置から発信されたビーコン信号に含まれるガイダンス特定情報により特定されるガイダンス情報に基づく画像を表示したり、このガイダンス情報に基づく音声を出力したりする。また、端末装置８００は、通信シート２００の識別情報と選択された魚の識別情報と端末装置８００の識別情報とをサーバ９００に送信する。
【０１３３】
サーバ９００は、端末装置８００から通信シート２００の識別情報と選択された魚の識別情報と端末装置８００の識別情報とを受信すると、通信シート２００の識別情報と選択された魚の識別情報と端末装置８００の識別情報と受信時刻情報とを対応付けた履歴情報を記憶装置９０１に記憶する。サーバ９００は、記憶装置９０１が記憶する履歴情報及び位置情報に基づいて、来客者が水槽７００を見学した時刻や、来場者が興味を持つ魚の種類などを特定することができる。従って、サーバ９００は、使用例１と同様に、魚の育成ゲームにおいて来客回数に応じて魚を成長させたり、来客者の動線を示す情報を提示したりすることができる。
【０１３４】
使用例２の変形例によれば、使用例２と同様の効果が得られる他、利便性を向上させることが期待できる。つまり、使用例２の変形例によれば、例えば、通信装置１６０が発信するビーコン信号に、通信装置の選択に依存しない情報を含め、通信装置１６０Ａと通信装置１６０Ｂと通信装置１６０Ｃとが発信するビーコン信号に、通信装置の選択に依存する情報を含めることができる。
【０１３５】
（使用例３）
使用例３では、通信装置１６０及び通信シート２００を、屋内の商業施設内や地下鉄の駅構内においてユーザを道案内する道案内システムに用いる例について説明する。使用例３では、通信装置１６０は通信シート２００に固定される。
【０１３６】
使用例３では、使用例１と同様に、通信シート２００に固定された通信装置１６０と看板７２０に組み込まれた通信シート２００と端末装置８００とサーバ９００とを備えるシステム構成となる。使用例３では、通信シート２００が発信するビーコン信号（通信装置１６０が発信するビーコン信号）は、道案内に関するガイダンス情報を特定するためのガイダンス特定情報と看板７２０が設置された位置を示す位置情報とを含む。このガイダンス情報は、道案内に用いられる情報であり、画像情報や音声情報である。看板７２０の表面には、周囲の地図が描かれていてもよく、更に、端末装置８００を近づけることで位置情報が取得可能である旨が示されていてもよい。
【０１３７】
ガイダンス特定情報は、ガイダンス情報を特定することができる情報であれば、どのような情報であってもよい。ガイダンス特定情報は、例えば、通信シート１６０の識別情報、ガイダンス情報が格納されたＵＲＬ、ガイダンス情報が格納された記憶装置９０１上のアドレス、ガイダンス情報である。なお、端末装置８００、サーバ９００、記憶装置９０１などには、ガイダンス特定情報とガイダンス情報とが対応付けられて記憶されているものとする。この場合、端末装置８００は、適宜、サーバ９００や記憶装置９０１にアクセスして、ビーコン信号に含まれるガイダンス特定情報から、ガイダンス情報を取得することができる。
【０１３８】
ここで、ユーザが端末装置８００を通信シート２００に近づけると、端末装置８００は、ガイダンス情報と位置情報とを含むビーコン信号を通信シート２００から受信する。端末装置８００は、ガイダンス特定情報により特定されたガイダンス情報に基づく地図と位置情報に基づく現在位置とをタッチスクリーン８１０に表示する。或いは、端末装置８００は、ガイダンス特定情報により特定されたガイダンス情報と位置情報とに基づいて、主要な目的地（例えば、人気のある店舗や最寄り駅）までの経路を知らせる音声を出力する。また、端末装置８００は、現在位置から最寄りのおすすめの店舗を示す情報を提供したり、この店舗において使用可能なクーポンを提供したりすることができる。
【０１３９】
また、端末装置８００は、ビーコン信号を受信した場合、現在の位置を示す位置情報と現在の時刻を示す時刻情報とを記憶したり、サーバ９００に送信したりすることができる。この場合、端末装置８００やサーバ９００は、ユーザの動線を特定することができ、特定した動線をユーザに対する道案内に反映させることができる。
【０１４０】
このように、使用例３は、通信装置１６０と、通信シート２００と、端末装置８００と、を備える通信システムに適用される。ここで、通信シート２００は、通信シート２００が配置された位置を示す位置情報を含むビーコン信号を発信する。そして、端末装置８００は、通信シート２００と近接してビーコン信号を受信した場合、位置情報に基づく画像又は音声を出力する。
【０１４１】
使用例３では、３次元空間にビーコン信号が伝搬する従来の通信装置ではなく、通信装置１６０が固定された通信シート２００が用いられる。従って、使用例３によれば、通信シート２００の近傍の端末装置８００のみに、ユーザの周囲の地図を示す地図情報やユーザの位置を示す位置情報を送信することができる。また、使用例３では、ＧＰＳ（Global Positioning System）信号が到達しにくい屋内や地下でも位置情報を取得することが可能である。また、使用例３では、端末装置８００は、階数或いは高さを特定可能な位置情報を取得可能である。このため、ＧＰＳを用いた手法では特定することが困難である階数や高さを特定することができる。
【０１４２】
使用例３では、通信装置１６０が通信シート２００に固定される例について説明した。しかしながら、通信装置１６０と通信シート２００とは、元々、分離可能である。従って、例えば、通信シート２００に固定する通信装置１６０を他の通信装置１６０に入れ替えることは容易である。
【０１４３】
（使用例４）
使用例３では、通信装置１６０が通信シート２００に固定された例について説明した。使用例４では、通信装置１６０が通信シート２００に固定されない例について説明する。使用例４では、通信装置１６０Ａと通信装置１６０Ｂと通信装置１６０Ｃと通信シート２００とを道案内システムに用いる例について説明する。
【０１４４】
図３０Ａに示すように、使用例４では、看板７２０の表面に、通信シート２００と収容ケース７４０とが配置される。収容ケース７４０は、板状部材７４１と板状部材７４２と板状部材７４３とを出し入れ可能に収納する。つまり、板状部材７４１は、収容ケース７４０に対してスライド可能であり、板状部材７４１のほぼ全体が収容ケース７４０に収容される状態（以下「収容状態」という。）と収容ケース７４０からはみ出す状態（以下「非収容状態」という。）と、を有する。同様に、板状部材７４２及び板状部材７４３も、収容ケース７４０に対してスライド可能であり、収容状態と非収容状態とを有する。
【０１４５】
板状部材７４１の裏面には、通信装置１６０Ａが貼り付けられている。通信装置１６０Ａは、Ａという名称の店舗に関するガイダンス情報を特定するためのガイダンス特定情報とＡという名称の店舗の位置を示す目的地情報と地図特定情報と現在位置情報とを含むビーコン信号を発信する。地図特定情報は、地図情報を特定するための情報である。地図特定情報と地図情報とは対応付けられて、端末装置８００、サーバ９００、記憶装置９０１などに記憶される。板状部材７４２の裏面には、通信装置１６０Ｂが貼り付けられている。通信装置１６０Ｂは、Ｂという名称の店舗に関するガイダンス情報を特定するためのガイダンス特定情報とＢという名称の店舗の位置を示す目的地情報と地図情報と現在位置情報とを含むビーコン信号を発信する。板状部材７４３の裏面には、通信装置１６０Ｃが貼り付けられている。通信装置１６０Ｃは、Ｃという名称の店舗に関するガイダンス情報を特定するためのガイダンス特定情報とＣという名称の店舗の位置を示す目的地情報と地図情報と現在位置情報とを含むビーコン信号を発信する。
【０１４６】
板状部材７４１が収容状態にあるとき、通信装置１６０Ａは通信シート２００の近傍に配置されないため、通信装置１６０Ａから発信するビーコン信号は通信シート２００内を伝搬しない。一方、板状部材７４２が非収容状態にあるとき、通信装置１６０Ａは通信シート２００の近傍に配置されるため、通信装置１６０Ａから発信するビーコン信号は通信シート２００内を伝搬する。同様に、通信装置１６０Ｂから発信するビーコン信号は、板状部材７４２が収容状態にあるとき通信シート２００内を伝搬せず、板状部材７４２が非収容状態にあるとき通信シート２００内を伝搬する。また、通信装置１６０Ｃから発信するビーコン信号は、板状部材７４３が収容状態にあるとき通信シート２００内を伝搬せず、板状部材７４３が非収容状態にあるとき通信シート２００内を伝搬する。
【０１４７】
このように、使用例４は、複数の通信装置（通信装置１６０Ａ−１６０Ｃ）と、通信シート２００と、端末装置８００と、支持部材（看板７２０、収容ケース７４０、板状部材７４１−７４３）と、を備える通信システムに適用される。支持部材（看板７２０、収容ケース７４０、板状部材７４１−７４３）は、複数の通信装置（通信装置１６０Ａ−１６０Ｃ）のうち１つ以上が選択通信装置として通信シート２００と近接する位置に配置されるように、複数の通信装置（通信装置１６０Ａ−Ｃ）を支持する。複数の通信装置（通信装置１６０Ａ−１６０Ｃ）のそれぞれは、自通信装置に対応付けられたガイダンス情報を含むビーコン信号を発信する。通信シート２００は、１つ以上の選択通信装置が発信したビーコン信号を伝搬する。端末装置８００は、通信シート２００と近接してビーコン信号を受信した場合、１つ以上の選択通信装置の識別情報に基づく画像又は音声を出力する。
【０１４８】
かかる構成によれば、選択した店舗に対応する板状部材（非収容状態にある板状部材）に貼付された通信装置から発信されたビーコン信号のみが通信シート２００内を伝搬する。従って、端末装置８００を通信シート２００に近づけた場合、選択した店舗のガイダンス情報を特定するためのガイダンス特定情報と選択した店舗の位置を示す目的地情報と地図情報を特定するための地図特定情報と現在位置情報とが端末装置８００により取得される。このため、端末装置８００は、選択した店舗のガイダンス情報を画像や音声として出力することができる。また、端末装置８００は、選択した店舗の位置と現在位置との関係を地図上で示したり、選択した店舗を効率的に経由するルートを地図上で示したりする画像を、タッチスクリーン８１０に表示することができる。或いは、端末装置８００は、現在値から選択した店舗を効率的に経由するルートを音声で案内してもよい。
【０１４９】
使用例４によっても、使用例３と同様の効果が得られる。更に、使用例４では、通信シート２００内を伝搬させるビーコン信号を発信する通信装置を選択することができる。従って、使用例４によれば、ユーザに供給する情報を来客者に選択させることができる。
【０１５０】
（使用例４の変形例）
また、図３０Ｂに示すように、使用例４において、通信装置１６０Ａと通信装置１６０Ｂと通信装置１６０Ｃと通信シート２００とに加え、更に、通信シート２００に固定された通信装置１６０を用いることもできる。
【０１５１】
この場合、通信シート２００が備える通信装置１６０は、地図特定情報と現在位置情報と店舗の選択を促すメッセージ情報とを含むビーコン信号を発信する。通信装置１６０Ａは、Ａという名称の店舗に関するガイダンス情報を特定するためのガイダンス特定情報とＡという名称の店舗の位置を示す目的地情報とを含むビーコン信号を発信する。通信装置１６０Ｂは、Ｂという名称の店舗に関するガイダンス情報を特定するためのガイダンス特定情報とＢという名称の店舗の位置を示す目的地情報とを含むビーコン信号を発信する。通信装置１６０Ｃは、Ｃという名称の店舗に関するガイダンス情報を特定するためのガイダンス特定情報とＣという名称の店舗の位置を示す目的地情報とを含むビーコン信号を発信する。
【０１５２】
通信装置１６０が発信するビーコン信号は、常時、通信シート２００内を伝搬する。板状部材７４１が収容状態にあるとき、通信装置１６０Ａは通信シート２００の近傍に配置されないため、通信装置１６０Ａが発信するビーコン信号は通信シート２００内を伝搬しない。一方、板状部材７４１が非収容状態にあるとき、通信装置１６０Ａは通信シート２００の近傍に配置されるため、通信装置１６０Ａが発信するビーコン信号は通信シート２００内を伝搬する。同様に、通信装置１６０Ｂが発信するビーコン信号は、板状部材７４２が収容状態にあるとき通信シート２００内を伝搬せず、板状部材７４２が非収容状態にあるとき通信シート２００内を伝搬する。また、通信装置１６０Ｃが発信するビーコン信号は、板状部材７４３が収容状態にあるとき通信シート２００内を伝搬せず、板状部材７４３が非収容状態にあるとき通信シート２００内を伝搬する。
【０１５３】
使用例４の変形例によれば、使用例４と同様の効果が得られる他、利便性を向上させることが期待できる。つまり、使用例４の変形例によれば、例えば、通信装置１６０が発信するビーコン信号に、通信装置の選択に依存しない情報を含め、通信装置１６０Ａと通信装置１６０Ｂと通信装置１６０Ｃとが発信するビーコン信号に、通信装置の選択に依存する情報を含めることができる。
【０１５４】
（使用例５）
使用例５では、通信装置１６０及び通信シート２００を、薬局が患者のお薬手帳に記載された情報（以下、適宜「手帳情報」という。）を管理するための薬局システムに用いる例について説明する。使用例５では、通信装置１６０が通信シート２００に固定される。
【０１５５】
図３１に示すように、薬局システムは、通信装置１６０と、通信シート２００と、端末装置８００と、サーバ９００と、処理装置９１０と、を備える。通信装置１６０は、手帳情報の閲覧を許可することを要求する要求情報を含むビーコン信号を送信する。通信シート２００は、通信装置１６０が発信したビーコン信号を伝搬する。端末装置８００は、通信シート２００からビーコン信号を受信すると、手帳情報の閲覧を許可する旨を指示する指示情報と端末装置８００の識別情報とをサーバ９００に送信する。サーバ９００は、端末装置８００から指示情報と端末装置８００の識別情報とを受信した後、予め定められた期間（例えば、３０分間）、端末装置８００の識別情報に対応付けられた患者の手帳情報を処理装置９１０が閲覧することを許可する。なお、サーバ９００は、患者が所有する端末装置８００の識別情報と患者の識別情報と患者の手帳情報とを対応付けて記憶装置９０１に記憶しているものとする。
【０１５６】
このように、使用例５は、通信装置１６０と、通信シート２００と、端末装置８００と、サーバ９００と、処理装置９１０と、を備える通信システムに適用される。通信装置１６０を備える通信シート２００は、ビーコン信号を発信する。端末装置８００は、通信シート２００と近接してビーコン信号を受信した場合、端末装置８００の識別情報をサーバ９００に送信する。サーバ９００は、端末装置８００から端末装置８００の識別情報を受信した場合、端末装置８００の識別情報に対応付けられた情報を処理装置９１０に送信する。
【０１５７】
従来の薬局システムでは、例えば、処理装置９１０からサーバ９００に手帳情報の閲覧を申請し、サーバ９００が端末装置８００にＯＴＰ（One Time Password）を発行し、端末装置８００を所有する患者が薬剤師にＯＴＰを伝え、薬剤師が処理装置９１０を操作して、ＯＴＰを使用してサーバ９００から手帳情報を取得するという工程が必要であった。このため、従来の薬局システムでは、手帳情報を閲覧するために非常に煩雑な処理が必要であった。
【０１５８】
これに対して、使用例５によれば、患者は、処理装置９１０による手帳情報の閲覧を許可する場合に、端末装置８００を通信シート２００上に配置するだけである。かかる構成によれば、患者は薬局が手帳情報を閲覧することを容易に許可することができる。使用例５によれば、３次元空間にビーコン信号が伝搬する従来の通信装置とは異なり、手帳情報の閲覧を希望しない周囲の人に関して手帳情報が閲覧されることを防止することができる。
【０１５９】
なお、使用例５において、複数の端末装置８００が通信シート２００上に置かれた場合に、手帳情報の閲覧が許可されるようにしてもよい。例えば、親が所有する端末装置８００（以下「端末装置Ａ」という。）と子が所有する端末装置８００（以下「端末装置Ｂ」という。）との両方が通信シート２００上に置かれた場合に、子の手帳情報の閲覧が許可されるようにする。この場合、端末装置Ｂが通信シート２００上に置かれた場合、端末装置Ｂは、通信シート２００からビーコン信号を受信し、指示情報と端末装置Ｂの識別情報とをサーバ９００に送信する。
【０１６０】
ただし、この段階では、サーバ９００は、端末装置Ａから指示情報を受信していないため、子の手帳情報の閲覧を許可しない。ここで、端末装置Ａが通信シート２００上に置かれた場合、端末装置Ａは、通信シート２００からビーコン信号を受信し、指示情報と端末装置Ａの識別情報とをサーバ９００に送信する。すると、サーバ９００は、端末装置Ｂと端末装置Ｂに対応付けられた端末装置Ａとの双方から指示情報を受信し、子の手帳情報の閲覧を許可する。なお、サーバ９００は、端末装置Ａの識別情報と端末装置Ｂの識別情報とを対応付けて記憶しているものとする。かかる構成によれば、子だけの判断で子の手帳情報の閲覧を許可することを抑制することができる。
【０１６１】
使用例５では、通信装置１６０が通信シート２００に固定される例について説明した。しかしながら、通信装置１６０と通信シート２００とは、元々、分離可能である。従って、例えば、通信シート２００に固定する通信装置１６０を他の通信装置１６０に入れ替えることは容易である。
【０１６２】
（使用例６）
使用例５では、通信装置１６０が通信シート２００に固定される例について説明した。使用例６では、通信装置１６０が通信シート２００に固定されない例について説明する。使用例６では、通信装置１６０Ａと通信装置１６０Ｂと通信シート２００とを薬局システムに用いる例について説明する。
【０１６３】
使用例６では、通信装置１６０Ａは、手帳情報の閲覧を第１の閲覧時間（例えば、５分間）許可することを要求する第１の要求情報を含むビーコン信号を送信し、通信装置１６０Ｂは、手帳情報の閲覧を第２の閲覧時間（例えば、３０分間）許可することを要求する第２の要求情報を含むビーコン信号を送信する。ここで、患者は、通信装置１６０Ａと通信装置１６０Ｂとのうちのいずれか一方と端末装置８００とを通信シート２００上に置く。
【０１６４】
通信装置１６０Ａが通信シート２００上に置かれている場合、端末装置８００は、通信装置１６０Ａから第１の要求情報を含むビーコン信号を受信し、手帳情報の閲覧を第１の時間許可する旨を指示する第１の指示情報と端末装置８００の識別情報とをサーバ９００に送信する。一方、通信装置１６０Ｂが通信シート２００上に置かれている場合、端末装置８００は、通信装置１６０Ｂから第２の要求情報を含むビーコン信号を受信し、手帳情報の閲覧を第２の時間許可する旨を指示する第２の指示情報と端末装置８００の識別情報とをサーバ９００に送信する。
【０１６５】
サーバ９００は、端末装置８００から第１の指示情報と端末装置８００の識別情報とを受信した場合、第１の閲覧時間、患者の手帳情報を処理装置９１０が閲覧することを許可する。一方、サーバ９００は、端末装置８００から第２の指示情報と端末装置８００の識別情報とを受信した場合、第２の閲覧時間、患者の手帳情報を処理装置９１０が閲覧することを許可する。かかる構成によれば、患者は、閲覧を許容する時間を容易に選択することができる。
【０１６６】
なお、通信装置１６０Ａは、第１の要求情報に代えて通信装置１６０Ａの識別情報を含むビーコン信号を送信し、通信装置１６０Ｂは、第２の要求情報に代えて通信装置１６０Ｂの識別情報を含むビーコン信号を送信してもよい。この場合、端末装置８００は、通信装置１６０Ａの識別情報を含むビーコン信号を受信した場合、通信装置１６０Ａの識別情報と端末装置８００の識別情報とをサーバ９００に送信する。また、端末装置８００は、通信装置１６０Ｂの識別情報を含むビーコン信号を受信した場合、通信装置１６０Ｂの識別情報と端末装置８００の識別情報とをサーバ９００に送信する。ここで、サーバ９００は、端末装置８００から通信装置１６０Ａの識別情報と端末装置８００の識別情報とを受信した場合、第１の閲覧時間、患者の手帳情報を処理装置９１０が閲覧することを許可する。一方、サーバ９００は、端末装置８００から通信装置１６０Ｂの識別情報と端末装置８００の識別情報とを受信した場合、第２の閲覧時間、患者の手帳情報を処理装置９１０が閲覧することを許可する。
【０１６７】
このように、使用例６は、複数の通信装置（通信装置１６０Ａ−１６０Ｂ）と、通信シート２００と、端末装置８００と、サーバ９００と、処理装置９１０と、を備える通信システムに適用される。複数の通信装置（通信装置１６０Ａ−１６０Ｂ）のそれぞれは、自通信装置の識別情報を含むビーコン信号を発信する。複数の通信装置（通信装置１６０Ａ−１６０Ｂ）のうち１つが選択通信装置として通信シート２００と近接する位置に配置される。端末装置８００は、通信シート２００と近接してビーコン信号を受信した場合、選択通信装置の識別情報と端末装置８００の識別情報とをサーバ９００に送信する。サーバ９００は、端末装置８００から選択通信装置の識別情報と端末装置８００の識別情報とを受信した場合、選択通信装置の識別情報に対応付けられた期間内において、端末装置８００の識別情報に対応付けられた情報を処理装置９１０に送信する。
【０１６８】
（使用例６の変形例）
また、使用例６において、通信装置１６０Ａと通信装置１６０Ｂと通信シート２００とに加え、更に、通信シート２００に固定された通信装置１６０を用いることもできる。
【０１６９】
使用例６の変形例では、通信装置１６０は、手帳情報の閲覧を許可することを要求する要求情報と手帳情報の閲覧時間の選択を促すメッセージ情報とを含むビーコン信号を送信する。また、通信装置１６０Ａは、第１の閲覧時間（例えば、５分間）を示す情報を含むビーコン信号を送信する。また、通信装置１６０Ｂは、第２の閲覧時間（例えば、３０分間）を示す情報を含むビーコン信号を送信する。通信シート２００上に端末装置８００のみが置かれている場合、端末装置８００は、通信装置１６０から要求情報とメッセージ情報とを含むビーコン信号を受信し、画像表示や音声出力により手帳情報の閲覧時間の選択を促す。ここで、患者は、通信装置１６０Ａと通信装置１６０Ｂとのうちのいずれか一方と端末装置８００とを通信シート２００上に置く。
【０１７０】
通信シート２００上に通信装置１６０Ａが置かれた場合、端末装置８００は、通信装置１６０Ａから第１の閲覧時間を示す情報を含むビーコン信号を受信し、要求情報と第１の閲覧時間を示す情報と端末装置８００の識別情報とをサーバ９００に送信する。一方、通信シート２００上に通信装置１６０Ｂが置かれた場合、端末装置８００は、通信装置１６０Ｂから第２の閲覧時間を示す情報を含むビーコン信号を受信し、要求情報と第２の閲覧時間を示す情報と端末装置８００の識別情報とをサーバ９００に送信する。
【０１７１】
サーバ９００は、端末装置８００から要求情報と第１の閲覧時間を示す情報と端末装置８００の識別情報とを受信した場合、第１の閲覧時間、患者の手帳情報を処理装置９１０が閲覧することを許可する。一方、サーバ９００は、端末装置８００から要求情報と第２の閲覧時間を示す情報と端末装置８００の識別情報とを受信した場合、第２の閲覧時間、患者の手帳情報を処理装置９１０が閲覧することを許可する。かかる構成によれば、患者は、閲覧を許容する時間を容易に選択することができる。
【０１７２】
なお、通信装置１６０Ａは、第１の閲覧時間を示す情報に代えて通信装置１６０Ａの識別情報を含むビーコン信号を送信し、通信装置１６０Ｂは、第２の閲覧時間を示す情報に代えて通信装置１６０Ｂの識別情報を含むビーコン信号を送信してもよい。この場合、端末装置８００は、通信装置１６０Ａの識別情報を含むビーコン信号を受信した場合、要求情報と通信装置１６０Ａの識別情報と端末装置８００の識別情報とをサーバ９００に送信する。また、端末装置８００は、通信装置１６０Ｂの識別情報を含むビーコン信号を受信した場合、要求情報と通信装置１６０Ｂの識別情報と端末装置８００の識別情報とをサーバ９００に送信する。ここで、サーバ９００は、端末装置８００から要求情報と通信装置１６０Ａの識別情報と端末装置８００の識別情報とを受信した場合、第１の閲覧時間、患者の手帳情報を処理装置９１０が閲覧することを許可する。一方、サーバ９００は、端末装置８００から要求情報と通信装置１６０Ｂの識別情報と端末装置８００の識別情報とを受信した場合、第２の閲覧時間、患者の手帳情報を処理装置９１０が閲覧することを許可する。
【０１７３】
使用例６の変形例によれば、使用例６と同様の効果が得られる他、利便性を向上させることが期待できる。つまり、使用例６の変形例によれば、例えば、通信装置１６０が発信するビーコン信号に、通信装置の選択に依存しない情報を含め、通信装置１６０Ａと通信装置１６０Ｂとが発信するビーコン信号に、通信装置の選択に依存する情報を含めることができる。
【０１７４】
（使用例７）
使用例７では、通信装置１６０及び通信シート２００を、カーシェアリング、民泊、共有の会議室など不特定多数のユーザが使用する物又は設備の施錠を管理するスマートロックシステムに用いる例について説明する。ここでは、カーシェアリングにおけるスマートロックシステムについて説明する。使用例７では、通信装置１６０と通信シート２００と端末装置８００とサーバ９００とが用いられる。使用例７では、通信装置１６０は通信シート２００に固定される。
【０１７５】
通信装置１６０は、通信装置１６０が搭載された車の識別情報を含むビーコン信号を発信する。通信シート２００は、通信装置１６０が発信したビーコン信号を伝搬する。通信シート２００は、例えば、車の運転席側のドアの内部に、厚さ方向が水平になるように配置される。端末装置８００は、通信装置１６０からビーコン信号を受信する機能とサーバ９００と無線通信する機能とを有する。端末装置８００は、例えば、スマートフォンである。サーバ９００は、カーシェアリングを運営する会社が有するサーバである。
【０１７６】
まず、ユーザは、端末装置８００を用いて、車を予約する。このとき、端末装置８００は、例えば、予約した車の識別情報をサーバ９００から取得する。そして、ユーザは、車の使用時に、車の運転席側のドアに端末装置８００を近づける。すると、端末装置８００は、通信装置１６０から車の識別情報を受信する。端末装置８００は、サーバ９００から受信した車の識別情報と通信装置１６０から受信した車の識別情報とが一致する場合、車のドアの鍵の施錠を管理する管理モジュールに、ドアの解錠を指示する指示信号を送信する。管理モジュールは、端末装置８００から指示信号を受信すると、ドアを解錠する。
【０１７７】
このように、使用例７は、通信装置１６０と、通信シート２００と、端末装置８００と、サーバ９００と、を備える通信システムに適用される。通信装置１６０が固定された通信シート２００は、対象設備（車）に設けられ、対象設備（車）の識別情報を含むビーコン信号を発信する。サーバ９００は、対象設備（車）の識別情報を端末装置８００に送信する。端末装置８００は、サーバ９００から対象設備（車）の識別情報を受信した後、通信シート２００と近接してビーコン信号を受信した場合、対象設備（車）を使用するための制御信号を出力する。
【０１７８】
使用例７によれば、３次元空間にビーコン信号が伝搬する従来の通信装置とは異なり、端末装置８００が車から離れた位置にあるにもかかわらず車のドアが解錠してしまうという事態を防止できる。なお、管理モジュールが、電動シートの位置、電動シートの背もたれの角度、ルームミラーやサイドミラーの角度などを調整できる場合がある。この場合、端末装置８００は、ユーザが所望するこれらの位置や角度を示すパラメータを記憶しておき、ドアの解錠を指示する指示信号とともにこれらのパラメータを管理モジュールに送信してもよい。すると、管理モジュールは、受信したパラメータに従って、これらの位置や角度を調整することができる。
【０１７９】
使用例７では、通信装置１６０が通信シート２００に固定される例について説明した。しかしながら、通信装置１６０と通信シート２００とは、元々、分離可能である。従って、例えば、通信シート２００に固定する通信装置１６０を他の通信装置１６０に入れ替えることは容易である。
【０１８０】
（使用例８）
使用例７では、通信装置１６０が通信シート２００に固定される例について説明した。使用例８では、通信装置１６０が通信シート２００に固定されない例について説明する。使用例８では、通信装置１６０と通信シート２００と処理装置９１０とサーバ９００とが用いられる。
【０１８１】
通信装置１６０は、通信装置１６０が配置された位置を示す位置情報を含むビーコン信号を送信する。通信装置１６０は、例えば、駐車場内に配置される。具体的には、通信装置１６０は、車が駐車するスペースの後方、典型的には、停車した車のトランクやリヤバンパーに近接する位置に配置される。通信シート２００は、通信装置１６０から送信されたビーコン信号を処理装置９１０に伝達する機能を有する。通信シート２００は、例えば、車のトランクやリヤバンパーの内部に設けられる。処理装置９１０は、通信シート２００を介して、通信装置１６０からビーコン信号を受信する。処理装置９１０は、通信シート２００の近傍に配置される。サーバ９００は、カーシェアリングを運営する会社が有するサーバである。
【０１８２】
まず、通信シート２００と処理装置９１０とを搭載した車が、通信装置１６０が配置された駐車スペースに駐車されていない間、通信装置１６０と通信シート２００とは互いに近接しない。従って、処理装置９１０は通信装置１６０が発信したビーコン信号を受信しない。一方、この車が、通信装置１６０が配置された駐車スペースに駐車されている間、通信装置１６０と通信シート２００とは互いに近接する。従って、処理装置９１０は、通信装置１６０が発信したビーコン信号を、通信シート２００を介して受信する。処理装置９１０は、受信したビーコン信号に含まれる位置情報と車の識別情報とを、サーバ９００に送信する。サーバ９００は、処理装置９１０から受信した位置情報に基づいて、通信装置１６０が搭載された車の位置を記憶する。
【０１８３】
このように、使用例８は、通信装置（通信装置１６０）と、通信シート２００と、サーバ９００と、処理装置９１０と、を備える通信システムに適用される。通信シート２００は、車に配置される。処理装置９１０は、車に配置され、通信シート２００と近接する位置に配置される。通信装置（通信装置１６０）は、車が駐車する駐車場に配置される。通信装置（通信装置１６０）は、駐車場の位置を示す位置情報を含むビーコン信号を発信する。処理装置９１０は、通信装置（通信装置１６０）が通信シート２００と近接し、ビーコン信号を受信した場合、車の識別情報と位置情報とをサーバ９００に送信する。
【０１８４】
使用例８によれば、カーシェアリングにおいて、車が使用中か否か、或いは、どの駐車スペースに駐車されているのかを特定することが可能となる。
【０１８５】
（使用例８の変形例）
また、使用例８において、通信装置１６０Ａと通信シート２００とに加え、更に、通信シート２００に固定された通信装置１６０を用いることもできる。
【０１８６】
この場合、通信装置１６０は、車の識別情報を含むビーコン信号を送信する。通信装置１６０Ａは、通信装置１６０Ａが配置された位置を示す位置情報を含むビーコン信号を送信する。通信装置１６０Ａは、例えば、駐車場内に配置される。具体的には、通信装置１６０Ａは、車が駐車するスペースの後方、典型的には、停車した車のトランクやリヤバンパーに近接する位置に配置される。通信シート２００は、通信装置１６０から送信されたビーコン信号と通信装置１６０Ａから送信されたビーコン信号とを処理装置９１０に伝達する機能を有する。通信シート２００は、例えば、車のトランクやリヤバンパーの内部に設けられる。処理装置９１０は、通信シート２００を介して、通信装置１６０と通信装置１６０Ａとからビーコン信号を受信する。処理装置９１０は、通信シート２００の近傍に配置される。サーバ９００は、カーシェアリングを運営する会社が有するサーバである。
【０１８７】
まず、通信シート２００と処理装置９１０とを搭載した車が、通信装置１６０が配置された駐車スペースに駐車されていない間、通信装置１６０Ａと通信シート２００とは互いに近接しない。従って、処理装置９１０は、通信装置１６０が発信したビーコン信号のみを受信し、通信装置１６０Ａが発信したビーコン信号を受信しない。一方、この車が、通信装置１６０Ａが配置された駐車スペースに駐車されている間、通信装置１６０Ａと通信シート２００とは互いに近接する。従って、処理装置９１０は、通信装置１６０が発信したビーコン信号と通信装置１６０Ａが発信したビーコン信号とを、通信シート２００を介して受信する。処理装置９１０は、通信装置１６０から受信したビーコン信号に含まれる車の識別情報と通信装置１６０Ａから受信したビーコン信号に含まれる位置情報とを、サーバ９００に送信する。サーバ９００は、処理装置９１０から受信した位置情報に基づいて、通信装置１６０が搭載された車の位置を特定する。
【０１８８】
使用例８の変形例によれば、使用例８と同様の効果が得られる他、利便性を向上させることが期待できる。つまり、使用例８の変形例によれば、例えば、通信装置１６０が発信するビーコン信号に含める情報と、通信装置１６０Ａが発信するビーコン信号に含める情報とを、通信装置１６０や通信装置１６０Ａの配置などに応じて、適切に調整することができる。
【０１８９】
（使用例９）
使用例９では、通信装置１６０及び通信シート２００を、写真を印刷するプリンタを備える印刷システムや現金を自動で入金したり出金したりするＡＴＭ（Automatic Teller Machine）を備える入出金システムに用いる例について説明する。ここでは、印刷システムに適用する例について説明する。使用例９では、通信装置１６０と通信シート２００と端末装置８００と処理装置９１０とサーバ９００とが用いられる。なお、処理装置９１０は、プリンタであるものとする。使用例９では、通信装置１６０は通信シート２００に固定される。
【０１９０】
通信装置１６０は、通信装置１６０が搭載された処理装置９１０の識別情報を含むビーコン信号を送信する。通信装置１６０は、通信シート２００に固定される。通信シート２００は、例えば、処理装置９１０の上部に配置される。端末装置８００は、通信装置１６０からビーコン信号を受信する機能と処理装置９１０とサーバ９００とのそれぞれと無線通信する機能とを有する。端末装置８００は、例えば、スマートフォンである。処理装置９１０は、端末装置８００とサーバ９００とのそれぞれと無線通信する機能と印刷機能とを有する。サーバ９００は、印刷サービスを運営する会社が有するサーバである。
【０１９１】
まず、ユーザは、端末装置８００を用いて、印刷したいデジタル画像と端末装置８００の識別情報とを、サーバ９００にアップロードしておく。そして、ユーザは、端末装置８００を処理装置９１０に配置された通信シート２００に近づける。このとき、端末装置８００は、通信シート２００から処理装置９１０の識別情報を含むビーコン信号を受信する。端末装置８００は、端末装置８００の識別情報と処理装置９１０の識別情報とを処理装置９１０に送信する。
【０１９２】
処理装置９１０は、端末装置８００から端末装置８００の識別情報と処理装置９１０の識別情報とを受信すると、端末装置８００を所有するユーザがプリンタの近くにいると見做して、写真を印刷する処理を実行する。つまり、処理装置９１０は、受信した端末装置８００の識別情報を、サーバ９００に送信する。一方、サーバ９００は、受信した端末装置８００の識別情報に対応付けて記憶されたデジタル画像を、処理装置９１０に送信する。処理装置９１０は、受信したデジタル画像を印刷する。
【０１９３】
このように、使用例９は、通信装置１６０と、通信シート２００と、端末装置８００と、処理装置９１０と、を備える通信システムに適用される。通信装置１６０が固定された通信シート２００は、処理装置９１０に設けられ、処理装置９１０の識別情報を含むビーコン信号を発信する。端末装置８００は、通信シート２００と近接してビーコン信号を受信した場合、処理装置９１０の識別情報と端末装置８００の識別情報とを処理装置９１０に送信する。処理装置９１０は、端末装置８００から処理装置９１０の識別情報を受信した場合、端末装置８００の識別情報に基づく処理を実行する。
【０１９４】
使用例９では、ユーザは、印刷したいデジタル画像をサーバ９００に予めアップロードしていれば、処理装置９１０（プリンタ）が配置された店舗内では、端末装置８００を通信シート２００に近づけるだけでデジタル画像を取得することができる。このため、使用例８によれば、店舗内におけるユーザの手間を減らすことができ、店舗内が混雑することを抑制する効果が期待できる。
【０１９５】
使用例９において、印刷システムに代えて入出金システムに適用することもできる。この場合、処理装置９１０は、プリンタではなくＡＴＭとなる。そして、端末装置８００は、デジタル画像に代えて、入金額又は出金額を示す金額情報を、サーバ９００にアップロードする。そして、ユーザが端末装置８００を通信シート２００に近づけた場合に、ＡＴＭによる入金処理又は出金処理が実行される。この例においても、店舗内におけるユーザの手間を減らすことができ、店舗内が混雑することを抑制する効果が期待できる。
【０１９６】
使用例９において、サーバ９００が設けられていなくてもよい。この場合、サーバ９００にアップロードされる情報（例えば、デジタル画像、金額情報）は、端末装置８００により保持される。そして、端末装置８００は、通信シート２００に近づけられたときに、処理装置９１０の識別情報とこれらの情報（例えば、デジタル画像、金額情報）を、処理装置９１０に送信する。
【０１９７】
使用例９では、通信装置１６０が通信シート２００に固定される例について説明した。しかしながら、通信装置１６０と通信シート２００とは、元々、分離可能である。従って、例えば、通信シート２００に固定する通信装置１６０を他の通信装置１６０に入れ替えることは容易である。
【０１９８】
（使用例１０）
使用例９では、通信装置１６０が通信シート２００に固定される例について説明した。使用例１０では、通信装置１６０が通信シート２００に固定されない例について説明する。使用例１０では、通信装置１６０と通信シート２００と端末装置８００とサーバ９００と処理装置９１０とを印刷システムに用いる例について説明する。
【０１９９】
通信装置１６０は、端末装置８００の識別情報を含むビーコン信号を送信する。通信装置１６０は、端末装置８００を所有するユーザにより携帯される。通信シート２００は、通信装置１６０から送信されたビーコン信号を処理装置９１０に伝達する機能を有する。通信シート２００は、例えば、処理装置９１０（プリンタ）の上部に配置される。端末装置８００は、処理装置９１０と無線通信する機能とサーバ９００と無線通信する機能とを有する。処理装置９１０は、通信装置１６０から送信されたビーコン信号を受信する機能と端末装置８００とサーバ９００とのそれぞれと無線通信する機能と印刷機能とを有する。
【０２００】
まず、ユーザは、端末装置８００を用いて、印刷したいデジタル画像と端末装置８００の識別情報とを、サーバ９００にアップロードしておく。そして、ユーザは、通信装置１６０を処理装置９１０に配置された通信シート２００に近づける。このとき、通信装置１６０は、端末装置８００の識別情報を、通信シート２００を介して処理装置９１０に送信する。処理装置９１０は、端末装置８００の識別情報を受信すると、端末装置８００を所有するユーザが処理装置９１０の近くにいると見做して、写真を印刷する処理を実行する。つまり、処理装置９１０は、受信した端末装置８００の識別情報を、サーバ９００に送信する。一方、サーバ９００は、受信した端末装置８００の識別情報に対応付けて記憶されたデジタル画像を、処理装置９１０に送信する。処理装置９１０は、受信したデジタル画像を印刷する。
【０２０１】
このように、使用例１０は、通信装置（通信装置１６０）と、通信シート２００と、端末装置８００と、処理装置９１０と、を備える通信システムに適用される。処理装置９１０は、通信シート２００と近接する位置に配置される。通信装置（通信装置１６０）は、端末装置８００の識別情報を含むビーコン信号を発信する。処理装置９１０は、通信装置（通信装置１６０）が通信シート２００と近接し、ビーコン信号を受信した場合、端末装置８００の識別情報に基づく処理を実行する。
【０２０２】
使用例１０では、ユーザは、印刷したいデジタル画像をサーバ９００に予めアップロードしていれば、処理装置９１０（プリンタ）が配置された店舗内では、通信装置１６０を通信シート２００に近づけるだけでデジタル画像を取得することができる。このため、使用例１０によれば、店舗内におけるユーザの手間を減らすことができ、店舗内が混雑することを抑制する効果が期待できる。
【０２０３】
使用例１０において、処理装置９１０は、通信装置１６０から端末装置８００の識別情報を受信した場合において、直ちに、端末装置８００を所有するユーザが処理装置９１０の近くにいると見做さなくてもよい。例えば、処理装置９１０は、通信装置１６０から端末装置８００の識別情報を受信した場合において、端末装置８００と通信が確立できた場合に、端末装置８００を所有するユーザが処理装置９１０の近くにいると見做してもよい。
【０２０４】
使用例１０において、使用例８と同様に、印刷システムに代えて入出金システムに適用することもできる。また、使用例１０において、使用例８と同様に、サーバ９００が設けられていなくてもよい。
【０２０５】
（使用例１０の変形例）
また、使用例１０において、通信装置１６０Ａと通信シート２００とに加え、更に、通信シート２００に固定された通信装置１６０を用いることもできる。
【０２０６】
この場合、通信装置１６０は、通信装置１６０Ａを通信シート２００上に置くことを促すメッセージ情報と通信装置１６０の識別情報とを含むビーコン信号を発信する。なお、使用例１０の変形例では、通信装置１６０と処理装置９１０とは１対１で対応する。従って、通信装置１６０の識別情報に代えて、処理装置９１０の識別情報を採用してもよい。この場合、通信装置１６０は、上記メッセージ情報と処理装置９１０の識別情報とを含むビーコン信号を発信する。通信装置１６０Ａは、端末装置８００の識別情報を含むビーコン信号を送信する。通信装置１６０Ａは、端末装置８００を所有するユーザにより携帯される。通信シート２００は、通信装置１６０から送信されたビーコン信号と通信装置１６０Ａから送信されたビーコン信号とを端末装置８００に伝達する機能を有する。通信シート２００は、例えば、処理装置９１０（プリンタ）の上部に配置される。端末装置８００は、通信装置１６０から送信されたビーコン信号と通信装置１６０Ａから送信されたビーコン信号とを受信する機能と、処理装置９１０と無線通信する機能と、サーバ９００と無線通信する機能とを有する。処理装置９１０は、端末装置８００とサーバ９００とのそれぞれと無線通信する機能と印刷機能とを有する。
【０２０７】
まず、ユーザは、端末装置８００を用いて、印刷したいデジタル画像と端末装置８００の識別情報とを、サーバ９００にアップロードしておく。そして、ユーザは、端末装置８００を処理装置９１０に配置された通信シート２００に近づける。すると、端末装置８００は、通信装置１６０から発信されたビーコン信号を受信し、通信装置１６０Ａを通信シート２００上に置くことを促すメッセージを画像表示したり音声出力したりする。ここで、ユーザは、通信装置１６０Ａを処理装置９１０に配置された通信シート２００に近づける。このとき、通信装置１６０Ａは、端末装置８００の識別情報を含むビーコン信号を、通信シート２００を介して端末装置８００に送信する。端末装置８００は、通信装置１６０から通信装置１６０の識別情報（又は、処理装置９１０の識別情報）を含むビーコン信号を受信し、更に、通信装置１６０Ａから端末装置８００の識別情報を含むビーコン信号を受信すると、通信装置１６０Ａと端末装置８００とを所有するユーザが処理装置９１０の近くにいると見做して、写真を印刷する処理を処理装置９１０に実行させるための制御信号を処理装置９１０に送信する。この制御信号には、端末装置８００の識別情報が含まれる。処理装置９１０は、受信した端末装置８００の識別情報を、サーバ９００に送信する。一方、サーバ９００は、受信した端末装置８００の識別情報に対応付けて記憶されたデジタル画像を、処理装置９１０に送信する。処理装置９１０は、受信したデジタル画像を印刷する。
【０２０８】
このように、使用例１０の変形例は、第１の通信装置（通信装置１６０）と、第２の通信装置（通信装置１６０Ａ）と、通信シート２００と、端末装置８００と、処理装置９１０と、を備える通信システムに適用される。第１の通信装置（通信装置１６０）は、通信シート２００に近接する位置に配置される。第１の通信装置（通信装置１６０）は、第１の通信装置の識別情報（又は、処理装置９１０の識別情報）を含むビーコン信号を発信する。第２の通信装置（通信装置１６０Ａ）は、端末装置８００の識別情報を含むビーコン信号を発信する。端末装置８００は、第２の通信装置（通信装置１６０Ａ）が通信シート２００に近接し、第１の通信装置（通信装置１６０）と第２の通信装置（通信装置１６０Ａ）との双方からビーコン信号を受信した場合、端末装置８００の識別情報を含む制御信号を処理装置９１０に送信する。処理装置９１０は、端末装置８００から制御信号を受信した場合、端末装置８００の識別情報に基づく処理を実行する。
【０２０９】
使用例１０の変形例では、ユーザは、印刷したいデジタル画像をサーバ９００に予めアップロードしていれば、処理装置９１０（プリンタ）が配置された店舗内では、端末装置８００と通信装置１６０Ａとを通信シート２００に近づけるだけでデジタル画像を取得することができる。このため、使用例１０の変形例によれば、店舗内におけるユーザの手間を減らすことができ、店舗内が混雑することを抑制する効果が期待できる。
【０２１０】
また、使用例１０の変形例では、端末装置８００は、通信シート２００を介して、通信装置１６０と通信装置１６０Ａとの双方からビーコン信号を受信した場合、端末装置８００の識別情報を含む制御信号を処理装置９１０に送信する。つまり、使用例１０の変形例では、通信シート２００に、通信装置１６０Ａと端末装置８００との双方が近づけられなければ、処理装置９１０による処理が実行されない。このため、例えば、端末装置８００の所有者以外の第３者は、端末装置８００を不正に取得したとしても、通信装置１６０をも取得しない限り、処理装置９１０を用いた処理を実行することができない。従って、使用例１０の変形例によれば、端末装置８００の紛失によるリスクを低減することが期待できる。
【０２１１】
使用例１０の変形例において、使用例８と同様に、印刷システムに代えて入出金システムに適用することもできる。また、使用例１０の変形例において、使用例８と同様に、サーバ９００が設けられていなくてもよい。
【０２１２】
（使用例１１）
使用例１１では、通信装置１６０及び通信シート２００を、教育現場における通知システムに用いる例について説明する。使用例１１では、通信シート２００Ａ−２００Ｄと、端末装置８００Ａ−８００Ｄと、サーバ９００と、が用いられる。使用例１１では、通信装置１６０ＡＡが通信シート２００Ａに固定され、通信装置１６０ＢＢが通信シート２００Ｂに固定され、通信装置１６０ＣＣが通信シート２００Ｃに固定され、通信装置１６０ＤＤが通信シート２００Ｄに固定される。
【０２１３】
図３２に示すように、通信装置１６０ＡＡが固定された通信シート２００Ａは、先生Ａが使用する机１５０Ａ上に敷設され、通信シート２００Ａの識別情報を含むビーコン信号を発信する。通信装置１６０ＢＢが固定された通信シート２００Ｂは、生徒Ｂが使用する机１５０Ｂ上に敷設され通信シート２００Ｂの識別情報を含むビーコン信号を発信する。通信装置１６０ＣＣが固定された通信シート２００Ｃは、生徒Ｃが使用する机１５０Ｃ上に敷設され、通信シート２００Ｃの識別情報を含むビーコン信号を発信する。通信装置１６０ＤＤが固定された通信シート２００Ｄは、生徒Ｄが使用する机１５０Ｄ上に敷設され、通信シート２００Ｄの識別情報を含むビーコン信号を発信する。このように、通信シート２００Ａ−２００Ｄは、互いに異なる識別情報を含むビーコン信号を発信する。
【０２１４】
端末装置８００Ａは、先生Ａが所有する端末装置である。端末装置８００Ｂは、生徒Ｂが所有する端末装置である。端末装置８００Ｃは、生徒Ｃが所有する端末装置である。端末装置８００Ｄは、生徒Ｄが所有する端末装置である。サーバ９００は、端末装置８００Ａ−８００Ｄから各種の情報を受信したり、端末装置８００Ａ−８００Ｄに各種の情報を送信したりする。
【０２１５】
生徒Ｂが通信シート２００Ｂ上に端末装置８００Ｂを置くと、端末装置８００Ｂは通信シート２００Ｂの識別情報をサーバ９００に送信する。すると、サーバ９００は、通信シート２００Ｂの識別情報を受信した旨を端末装置８００Ａに送信する。同様に、生徒Ｃが通信シート２００Ｃ上に端末装置８００Ｃを置くと、端末装置８００Ｃは通信シート２００Ｃの識別情報をサーバ９００に送信する。すると、サーバ９００は、通信シート２００Ｃの識別情報を端末装置８００Ａに送信する。また、生徒Ｄが通信シート２００Ｄ上に端末装置８００Ｄを置くと、端末装置８００Ｄは通信シート２００Ｄの識別情報をサーバ９００に送信する。すると、サーバ９００は、通信シート２００Ｄの識別情報を端末装置８００Ａに送信する。
【０２１６】
ここで、サーバ９００や端末装置８００Ａ−８００Ｄは、通信シート２００Ａの識別情報と先生Ａの識別情報とを対応付ける情報と、通信シート２００Ｂの識別情報と生徒Ｂの識別情報とを対応付ける情報と、通信シート２００Ｃの識別情報と生徒Ｃの識別情報とを対応付ける情報と、通信シート２００Ｄの識別情報と生徒Ｄの識別情報とを対応付ける情報と、を記憶しているものとする。この場合、端末装置８００Ａは、通信シート２００Ｂの識別情報を受信した場合、生徒Ｂが出席したと見做すことができる。同様に、端末装置８００Ａは、通信シート２００Ｃの識別情報を受信した場合、生徒Ｃが出席したと見做すことができる。また、端末装置８００Ａは、通信シート２００Ｄの識別情報を受信した場合、生徒Ｄが出席したと見做すことができる。
【０２１７】
このように、使用例１１は、通信装置１６０Ａ−１６０Ｄと、通信シート２００Ｂ−２００Ｄと、第１の端末装置（端末装置８００Ｂ−８００Ｄ）と、第２の端末装置（端末装置８００Ａ）と、を備える通信システムに適用される。通信シート２００Ｂ−２００Ｄは、通信シート２００Ｂ−Ｄの識別情報を含むビーコン信号を発信する。第１の端末装置（端末装置８００Ｂ−８００Ｄ）は、通信シート２００Ｂ−２００Ｄと近接してビーコン信号を受信した場合、通信シート２００Ｂ−２００Ｄの識別情報を第２の端末装置（端末装置８００Ａ）に送信する。
【０２１８】
なお、通信シート２００Ｂが生徒Ｂの識別情報を含むビーコン信号を発信してもよい。この場合、端末装置８００Ｂは、生徒Ｂの識別情報をサーバ９００に送信し、サーバ９００は、生徒Ｂの識別情報を端末装置８００Ａに送信する。或いは、端末装置８００Ｂは、生徒Ｂの識別情報をサーバ９００に送信し、サーバ９００は、生徒Ｂが出席した旨の情報を端末装置８００Ａに送信する。或いは、端末装置８００Ｂは、生徒Ｂが出席した旨の情報をサーバ９００に送信し、サーバ９００は、生徒Ｂが出席した旨の情報を端末装置８００Ａに送信する。生徒Ｃや生徒Ｄについても生徒Ｂと同様である。
【０２１９】
このように、生徒の識別番号や生徒が出席した旨（生徒が端末装置を通信シート上に置いた旨）がサーバ９００から端末装置８００Ａに通知されると、端末装置８００Ａは、どの生徒が出席しているのかを特定することができる。このため、先生Ａは、自ら生徒の出欠を確認せずとも、端末装置８００Ａが表示する情報を参照することにより、生徒の出欠を確認することができる。なお、端末装置８００Ｂは、通信シート２００Ｂの識別情報、生徒Ｂの識別情報、或いは、生徒Ｂが出席した旨を、サーバ９００ではなく端末装置８００Ａに送信してもよい。端末装置８００Ｃや端末装置８００Ｄについても同様である。かかる構成であっても、先生Ａは、端末装置８００Ａが表示する内容を参照して、生徒の出欠を確認することができる。
【０２２０】
また、端末装置８００Ｂは、通信シート２００Ｂの識別情報や生徒Ｂの識別情報を通信シート２００Ｂから受信した場合、宿題の進捗状況を管理するアプリケーションを起動してもよい。これにより、生徒Ｂは、出席した旨だけでなく、宿題の進捗状況や回答を先生Ａに知らせることができる。また、先生Ａは、生徒Ｂの宿題の進捗状況に応じて、適当な宿題を生徒Ｂに与える（例えば、進捗状況に適したレベルの宿題のアプリケーションを端末装置８００Ｂにインストールさせる）ことができる。端末装置８００Ｃや端末装置８００Ｄについても同様である。
【０２２１】
また、先生Ａが通信シート２００Ａ上に端末装置８００Ａを置くと、端末装置８００Ａは通信シート２００Ａの識別情報や先生Ａの識別情報をサーバ９００に送信してもよい。一方、サーバ９００は、端末装置８００Ａから通信シート２００Ａの識別情報や先生Ａの識別情報を受信した場合、先生Ａ向けの情報を端末装置８００Ａに送信する。すると、端末装置８００Ａは、受信した先生Ａ向けの情報を表示する。また、サーバ９００は、端末装置８００Ｂから通信シート２００Ｂの識別情報や生徒Ｂの識別情報を受信した場合、生徒Ｂ向けの情報を端末装置８００Ｂに送信する。すると、端末装置８００Ｂは、受信した生徒Ｂ向けの情報を表示する。サーバ９００は、端末装置８００Ｃや端末装置８００Ｄに対しても、生徒Ｃ向けの情報や生徒Ｄ向けの情報を送信することができる。
【０２２２】
かかる構成によれば、出席者に応じた情報、或いは、出席者の権限に応じた情報を、出席者に閲覧させることができる。典型的には、生徒Ｂ−Ｄに同じ情報を閲覧させたり、生徒Ｂ−Ｄには閲覧できない情報を先生Ａに閲覧させたりすることができる。また、端末装置８００Ａは、通信シート２００Ａから通信シート２００Ａの識別情報や先生Ａの識別情報を受信している間のみ、先生Ａに上述した情報を閲覧させてもよい。端末装置８００Ｂ−８００Ｄについても同様である。
【０２２３】
使用例１１では、通信装置１６０が通信シート２００に固定される例について説明した。しかしながら、通信装置１６０と通信シート２００とは、元々、分離可能である。従って、例えば、通信シート２００に固定する通信装置１６０を他の通信装置１６０に入れ替えることは容易である。
【０２２４】
（使用例１２）
使用例１１では、通信装置１６０が通信シート２００に固定される例について説明した。使用例１２では、通信装置１６０が通信シート２００に固定されない例について説明する。使用例１２では、図３３Ａに示すように、通信装置１６０Ａ−１６０Ｄと通信シート２００Ａ−２００Ｄと端末装置８００Ａ−８００Ｄとサーバ９００とを用いる例について説明する。
【０２２５】
通信装置１６０Ａは、通信装置１６０Ａの識別情報を含むビーコン信号を発信する。通信装置１６０Ｂは、通信装置１６０Ｂの識別情報を含むビーコン信号を発信する。通信装置１６０Ｃは、通信装置１６０Ｃの識別情報を含むビーコン信号を発信する。通信装置１６０Ｄは、通信装置１６０Ｄの識別情報を含むビーコン信号を発信する。このように、通信装置１６０Ａ−１６０Ｄは、互いに異なる識別情報を含むビーコン信号を発信する。通信シート２００Ａ−２００Ｄは、ビーコン信号を伝達する機能を有する。
【０２２６】
生徒Ｂが通信シート２００Ｂ上に通信装置１６０Ｂと端末装置８００Ｂとを置くと、端末装置８００Ｂは、通信シート２００Ｂを介して、通信装置１６０Ｂが発信するビーコン信号を受信する。そして、端末装置８００Ｂは、受信したビーコン信号に含まれる通信装置１６０Ｂの識別情報をサーバ９００に送信する。一方、サーバ９００は、通信装置１６０Ｂの識別情報を、端末装置８００Ａに送信する。かかる構成によれば、端末装置８００Ａを所有する先生Ａは、生徒Ｂの出欠を確認することができる。同様に、通信装置１６０Ｃや通信装置１６０Ｄから発信されるビーコン信号により、先生Ａは、生徒Ｃや生徒Ｄの出欠を確認することができる。なお、通信装置１６０Ａ−１６０Ｄの識別情報に代えて、先生Ａや生徒Ｂ−Ｄの識別情報や先生Ａや生徒Ｂ−Ｄが出席した旨の情報が送受信されてもよい。
【０２２７】
また、先生Ａが通信シート２００Ａ上に通信装置１６０Ａと端末装置８００Ａとを置くと、端末装置８００Ａは、通信シート２００Ａを介して、通信装置１６０Ａが発信するビーコン信号を受信する。そして、端末装置８００Ａは、受信したビーコン信号に含まれる通信装置１６０Ａの識別情報をサーバ９００に送信する。そして、サーバ９００は、通信装置１６０Ａの識別情報を受信した場合、先生Ａ向けの情報を端末装置８００Ａに送信する。すると、端末装置８００Ａは、受信した先生Ａ向けの情報を表示する。また、サーバ９００は、端末装置８００Ｂから通信装置１６０Ｂの識別情報を受信した場合、生徒Ｂ向けの情報を端末装置８００Ｂに送信する。すると、端末装置８００Ｂは、受信した生徒Ｂ向けの情報を表示する。同様に、サーバ９００は、端末装置８００Ｃや端末装置８００Ｄに対しても、生徒Ｃ向けの情報や生徒Ｄ向けの情報を送信することができる。なお、通信装置１６０Ａ−１６０Ｄの識別情報に代えて、先生Ａや生徒Ｂ−Ｄの識別情報や先生Ａや生徒Ｂ−Ｄが出席した旨の情報が送受信されてもよい。
【０２２８】
なお、使用例１２では、通信装置１６０Ａ−１６０Ｄ同士に機能的な差異はあるが、通信シート２００Ａ−２００Ｄ同士に機能的な差異はない。例えば、生徒Ｂは、通信装置１６０Ｂと端末装置８００Ｂとを通信シート２００Ｃ上においてもよい。かかる場合でも、端末装置８００Ｂは、通信シート２００Ｃを介して、通信装置１６０Ｂが発信するビーコン信号を受信する。そして、端末装置８００Ｂは、受信したビーコン信号に含まれる通信装置１６０Ｂの識別情報をサーバ９００に送信する。一方、サーバ９００は、通信装置１６０Ｂの識別情報を、端末装置８００Ａに送信する。また、サーバ９００は、通信装置１６０Ｂの識別情報を受信した場合、生徒Ｂ向けの情報を端末装置８００Ｂに送信する。
【０２２９】
なお、出欠の通知においては、端末装置８００Ｂ−８００Ｄ同士に機能的な差異はない。例えば、生徒Ｂは、通信装置１６０Ｂとともに置くのであれば、端末装置８００Ａ−８００Ｄのいずれを置いてもよい。ただし、情報の閲覧においては、ビーコン信号に含まれる識別情報により特定されるユーザ向けの情報が、このユーザが所有する端末装置に送信される。従って、ユーザは、自分が所有する端末装置を用いることが好適である。
【０２３０】
このように、使用例１２は、通信装置（通信装置１６０Ｂ−１６０Ｄ）と、通信シート２００Ｂ−２００Ｄと、第１の端末装置（端末装置８００Ｂ−８００Ｄ）と、第２の端末装置（端末装置８００Ａ）と、を備える通信システムに適用される。第１の端末装置（端末装置８００Ｂ−８００Ｄ）は、通信シート２００Ｂ−２００Ｄと近接する位置に配置される。通信装置（通信装置１６０Ｂ−１６０Ｄ）は、通信装置（通信装置１６０Ｂ−１６０Ｄ）の識別情報を含むビーコン信号を発信する。第１の端末装置（端末装置８００Ｂ−８００Ｄ）は、通信装置（通信装置１６０Ｂ−１６０Ｄ）が通信シート２００Ｂ−２００Ｄと近接し、ビーコン信号を受信した場合、通信装置（通信装置１６０Ｂ−１６０Ｄ）の識別情報を第２の端末装置（端末装置８００Ａ）に送信する。
【０２３１】
使用例１２によれば、使用例１１よりも出欠の通知や情報の閲覧を実現するための自由度が高まることが期待できる。
【０２３２】
（使用例１２の変形例）
また、使用例１２において、図３３Ｂに示すように、通信装置１６０Ａ−１６０Ｄと通信シート２００Ａ−２００Ｄとに加え、更に、通信シート２００Ａ−２００Ｄに固定された通信装置１６０ＡＡ−ＤＤを用いることもできる。
【０２３３】
この場合、通信装置１６０ＡＡは、通信装置１６０Ａと端末装置８００Ａとを通信シート２００Ａに置くことを促すメッセージ情報を含むビーコン信号を発信する。通信装置１６０ＢＢは、通信装置１６０Ｂと端末装置８００Ｂとを通信シート２００Ｂに置くことを促すメッセージ情報を含むビーコン信号を発信する。通信装置１６０ＣＣは、通信装置１６０Ｃと端末装置８００Ｃとを通信シート２００Ｃに置くことを促すメッセージ情報を含むビーコン信号を発信する。通信装置１６０ＤＤは、通信装置１６０Ｄと端末装置８００Ｄとを通信シート２００Ｄに置くことを促すメッセージ情報を含むビーコン信号を発信する。
【０２３４】
通信装置１６０Ａは、通信装置１６０Ａの識別情報を含むビーコン信号を発信する。通信装置１６０Ｂは、通信装置１６０Ｂの識別情報を含むビーコン信号を発信する。通信装置１６０Ｃは、通信装置１６０Ｃの識別情報を含むビーコン信号を発信する。通信装置１６０Ｄは、通信装置１６０Ｄの識別情報を含むビーコン信号を発信する。このように、通信装置１６０Ａ−２０Ｄは、互いに異なる識別情報を含むビーコン信号を発信する。通信シート２００Ａ−１００Ｄは、ビーコン信号を伝達する機能を有する。
【０２３５】
まず、生徒Ｂが通信シート２００Ｂ上に端末装置８００Ｂを置くと、端末装置８００Ｂは、通信シート２００Ｂを介して、通信装置１６０ＢＢが発信するビーコン信号を受信する。そして、端末装置８００Ｂは、通信シート２００Ｂ上に通信装置１６０Ｂを置くことを促すメッセージ情報を画像表示又は音声出力する。ここで、生徒Ｂが通信シート２００Ｂ上に通信装置１６０Ｂを置くと、端末装置８００Ｂは、通信シート２００Ｂを介して、通信装置１６０Ｂが発信するビーコン信号を受信する。そして、端末装置８００Ｂは、受信したビーコン信号に含まれる通信装置１６０Ｂの識別情報をサーバ９００に送信する。一方、サーバ９００は、通信装置１６０Ｂの識別情報を、端末装置８００Ａに送信する。かかる構成によれば、端末装置８００Ａを所有する先生Ａは、生徒Ｂの出欠を確認することができる。同様に、通信装置１６０Ｃや通信装置１６０Ｄから発信されるビーコン信号により、先生Ａは、生徒Ｃや生徒Ｄの出欠を確認することができる。なお、通信装置１６０Ａ−Ｄの識別情報に代えて、先生Ａや生徒Ｂ−Ｄの識別情報や先生Ａや生徒Ｂ−Ｄが出席した旨の情報が送受信されてもよい。
【０２３６】
また、先生Ａが通信シート２００Ａ上に端末装置８００Ａを置くと、端末装置８００Ａは、通信シート２００Ａを介して、通信装置１６０ＡＡが発信するビーコン信号を受信する。そして、端末装置８００Ａは、通信シート２００Ａ上に通信装置１６０Ａを置くことを促すメッセージ情報を画像表示又は音声出力する。ここで、先生Ａが通信シート２００Ａ上に通信装置１６０Ａを置くと、端末装置８００Ａは、通信シート２００Ａを介して、通信装置１６０Ａが発信するビーコン信号を受信する。そして、端末装置８００Ａは、受信したビーコン信号に含まれる通信装置１６０Ａの識別情報をサーバ９００に送信する。一方、サーバ９００は、通信装置１６０Ａの識別情報を受信した場合、先生Ａ向けの情報を端末装置８００Ａに送信する。すると、端末装置８００Ａは、受信した先生Ａ向けの情報を表示する。また、サーバ９００は、端末装置８００Ｂから通信装置１６０Ｂの識別情報を受信した場合、生徒Ｂ向けの情報を端末装置８００Ｂに送信する。すると、端末装置８００Ｂは、受信した生徒Ｂ向けの情報を表示する。同様に、サーバ９００は、端末装置８００Ｃや端末装置８００Ｄに対しても、生徒Ｃ向けの情報や生徒Ｄ向けの情報を送信することができる。なお、通信装置１６０Ａ−２０Ｄの識別情報に代えて、先生Ａや生徒Ｂ−Ｄの識別情報や先生Ａや生徒Ｂ−Ｄが出席した旨の情報が送受信されてもよい。
【０２３７】
使用例１２の変形例によれば、使用例１２と同様の効果が得られる他、利便性を向上させることが期待できる。つまり、使用例１２の変形例によれば、例えば、通信装置１６０ＡＡ−ＤＤが発信するビーコン信号に含める情報と、通信装置１６０Ａ−Ｄが発信するビーコン信号に含める情報とを、通信装置１６０ＡＡ−ＤＤや通信装置１６０Ａ−Ｄの配置などに応じて、適切に調整することができる。
【０２３８】
（変形例）
以上、本発明の実施形態を説明したが、本発明を実施するにあたっては、種々の形態による変形及び応用が可能である。
【０２３９】
本発明において、上記実施形態において説明した構成、機能、動作のどの部分を採用するのかは任意である。また、本発明において、上述した構成、機能、動作のほか、更なる構成、機能、動作が採用されてもよい。また、上述した実施形態は、適宜、自由に組み合わせることができる。また、本発明において採用可能な素材、サイズ、電気的特性などが、上記実施形態において示したものに限定されないことは勿論である。
【０２４０】
上記実施形態では、通信装置１００が送信した電波を通信装置３００が受信する例について説明した。本発明において、通信装置１００が送信した電波を通信装置３００が受信した後、通信装置３００が送信した電波を通信装置１００が受信してもよい。この場合、例えば、通信装置３００は、パッシブタグとすることができる。
【０２４１】
実施形態１では、通信装置１００が通信装置３００に情報を送信する例について説明した。本発明において、通信装置１００が通信装置３００に電力を供給してもよい。また、実施形態１では、アンテナ１１が無線基板１０の裏面に配置されている例について説明した。本発明において、アンテナ１１が無線基板１０の表面に配置されてもよい。同様に、アンテナ１４が無線基板１３の表面に配置されてもよい。
【０２４２】
実施形態１や実施形態３では、長手方向に伸びる直線部分が２列である例について説明した。本発明において、長手方向に伸びる直線部分は３列以上であってもよい。
【０２４３】
実施形態１では、通信装置１００及び通信装置３００の第１の使用方法として、全ての識別情報が認証された場合に、通信装置３００が予め定められた情報を表示する例について説明した。本発明において、全ての識別情報が認証された場合に、通信装置３００が実行する処理は、この例に限定されない。例えば、通信装置３００は、全ての識別情報が認証された場合に、予め定められた情報を通信装置１００に送信してもよい。この場合、通信装置１００は、受信した情報を処理（例えば、表示）することができる。
【符号の説明】
【０２４４】
１０，１３  無線基板、１１，１４，３０４  アンテナ、１２  ミアンダ配線、１２Ａ，１５Ａ，３０Ｄ，３０Ｂ，３１Ｄ，３１Ｅ，３１Ｈ，３５Ｄ，３６Ｄ  中心線、１５  線状配線、２０  シート状絶縁体、３０，３１，３２，３３，３４，３５，３６  第１のシート状導体、３０Ａ，３０Ｂ，３１Ａ，３１Ｂ，３１Ｆ，３５Ａ，３６Ａ  直線部分、３０Ｃ，３１Ｃ，３１Ｇ  連結部、３４Ａ  端部、３５Ｂ  傾斜部、３６Ｂ  湾曲部、４０  第２のシート状導体、１００，１００Ａ，１００Ｂ，１００Ｃ，１１０，１２０，１３０，１４０，１６０，１６０Ａ−１６０Ｄ，１６０ＡＡ−１６０ＤＤ，３００，３００Ａ，３００Ｂ，３００Ｃ  通信装置、１０１，３０１  制御部、１０２，３０２  無線通信部、１０３，３０３  記憶部、１５０Ａ−１５０Ｄ  机、２００，２００Ａ−２００Ｄ，２３０  通信シート、２０１  第１の導体層、２０１Ａ，２０１Ｂ  線状導体、２０２  第２の導体層、２０３  絶縁体層、２０４，２０５  保護フィルム、２０６  浸出領域、３０５  表示制御部、３０６  表示部、７００  水槽、７１０−７１２  魚、７２０  看板、７３０  回転部材、７３１−７３３  領域、７３４  回転軸、７４０  収容ケース、７４１−７４３  板状部材、８００，８００ａ−８００ｄ  端末装置、８１０  タッチスクリーン、９００  サーバ、９０１  記憶装置、９１０  処理装置。
【図１】
2017208793.tif 000003
【図２】
2017208793.tif 000004
【図３】
2017208793.tif 000005
【図４】
2017208793.tif 000006
【図５】
2017208793.tif 000007
【図６】
2017208793.tif 000008
【図７】
2017208793.tif 000009
【図８】
2017208793.tif 000010
【図９】
2017208793.tif 000011
【図１０】
2017208793.tif 000012
【図１１】
2017208793.tif 000013
【図１２】
2017208793.tif 000014
【図１３】
2017208793.tif 000015
【図１４】
2017208793.tif 000016
【図１５】
2017208793.tif 000017
【図１６】
2017208793.tif 000018
【図１７】
2017208793.tif 000019
【図１８】
2017208793.tif 000020
【図１９】
2017208793.tif 000021
【図２０】
2017208793.tif 000022
【図２１】
2017208793.tif 000023
【図２２】
2017208793.tif 000024
【図２３】
2017208793.tif 000025
【図２４】
2017208793.tif 000026
【図２５】
2017208793.tif 000027
【図２６】
2017208793.tif 000028
【図２７】
2017208793.tif 000029
【図２８】
2017208793.tif 000030
【図２９Ａ】
2017208793.tif 000031
【図２９Ｂ】
2017208793.tif 000032
【図３０Ａ】
2017208793.tif 000033
【図３０Ｂ】
2017208793.tif 000034
【図３１】
2017208793.tif 000035
【図３２】
2017208793.tif 000036
【図３３Ａ】
2017208793.tif 000037
【図３３Ｂ】
2017208793.tif 000038